(57)【要約】【課題】特定の相手（恋人や家族など）の現在のお互いの状態や思いをやわらかく知ることができなかった。または、やわらかくお互いの状態や思いを特定の相手に伝えることができなかった。【解決手段】情報処理システムは、２つの光出力装置と中継装置を有する。光出力装置は、第一の外部情報を受信する外部情報受信部と、第二の外部情報を取得する外部情報取得部と、光を出力する光出力部と、２つの外部情報に基づいて光出力部における光の出力の多段階制御を行う光出力制御部を具備する。中継装置は、外部情報の送信元識別子と外部情報を受信する外部情報受信部と、受信した外部情報の送信先を示す情報を取得する送信先識別子取得部と、送信先識別子で識別される送信先に、外部情報受信部が受信した外部情報送信する外部情報送信部を具備する。【選択図】図１
2008048394.tif 000002
【特許請求の範囲】
【請求項１】
複数の光出力装置から複数の外部情報を受信する中継装置であって、
外部情報の送信元を識別する送信元識別子と前記外部情報を受信する外部情報受信部と、外部情報の送信先を識別する送信先識別子と送信元識別子との対である送信管理情報を１組以上格納している送信管理情報格納部と、
前記外部情報受信部が受信した外部情報が有する送信元識別子と対になる送信先識別子を前記送信管理情報格納部から取得する送信先識別子取得部と、
前記送信先識別子取得部で取得した送信先識別子で識別される送信先に、前記外部情報受信部が受信した外部情報を送信する外部情報送信部を具備する中継装置。
【請求項２】
複数の光出力装置から複数の外部情報を受信する中継装置であって、
外部情報の送信先を識別する送信先識別子と前記外部情報を受信する外部情報受信部と、前記外部情報受信部が受信した送信先識別子で識別される送信先に、前記外部情報受信部が受信した外部情報を送信する外部情報送信部を具備する中継装置。
【請求項３】
外部情報受信部、送信先識別子取得部、および外部情報送信部により実現される中継方法であって、
前記外部情報受信部により、外部情報の送信元を識別する送信元識別子と前記外部情報を受信する外部情報受信ステップと、
前記送信先識別子取得部により、外部情報の送信先を識別する送信先識別子と送信元識別子との対である送信管理情報を１組以上格納している記憶媒体から、前記外部情報受信ステップで受信した外部情報が有する送信元識別子と対になる送信先識別子を取得する送信先識別子取得ステップと、
前記外部情報送信部により、前記送信先識別子取得ステップで取得した送信先識別子で識別される送信先に、前記外部情報受信ステップで受信した外部情報を送信する外部情報送信ステップを具備する中継方法。
【請求項４】
外部情報受信部、および外部情報送信部により実現される中継方法であって、
前記外部情報受信部により、外部情報の送信先を識別する送信先識別子と前記外部情報を受信する外部情報受信ステップと、
前記外部情報送信部により、前記外部情報受信ステップで受信した送信先識別子で識別される送信先に、前記外部情報受信ステップで受信した外部情報を送信する外部情報送信ステップを具備する中継方法。
【発明の詳細な説明】
【技術分野】
【０００１】
本発明はある装置から他の装置に当該装置の使用者の状態、思い等を光出力により、相互にやわらかく伝える情報処理システムを構成する中継装置等に関するものである。
【背景技術】
【０００２】
従来、ある人から別の人へ相互に情報を伝える装置として、携帯電話やインターネットに接続されたコンピュータ等が存在していた。
【０００３】
また、インターネットやブロードバンド技術等の普及により、常時接続で情報を送受信できるようになってきた。
【発明の開示】
【発明が解決しようとする課題】
【０００４】
しかし、従来の技術によれば、例えば、特定の相手（恋人や家族など）の現在のお互いの状態や思いをやわらかく知ることができなかった。または、やわらかくお互いの状態や思いを特定の相手に伝えることができなかった。この「やわらかく知る」「やわらかく伝える」というのは、電話で現在の忙しい状態を知ったりすることではなく、また、インターネットを利用した電子メールで現在の仕事振りを特定の相手に伝えたりすることではない。この「やわらかく知る」「やわらかく伝える」というのは、具体的には、お互いが会いたがっているという思いを相互に何となく知ったり、今お互いが相手の方に向かっていることを伝えたりすることを言う。
【０００５】
つまり、携帯電話や電子メールシステムを用いれば積極的に状態を伝えることができるが、状態の伝達を意識せざるを得ない。
【０００６】
本願発明は、どちらかと言うと積極的ではないがゆえに、相互の状態や思いをやわらかく相手に伝達し得るシステムを得ることを目的としている。
【課題を解決するための手段】
【０００７】
以上の課題を解決するために、以下のような情報処理システムを提供する。
【０００８】
まず、情報処理システムは、第一光出力装置と中継装置と第二光出力装置を有する。第一光出力装置と第二光出力装置は構成が同じあるので、適宜、光出力装置という。光出力装置は、外部から送信される情報である第一の外部情報を受信する外部情報受信部と、第二の外部情報を取得する外部情報取得部と、光を出力する光出力部と、第一の外部情報と第二の外部情報に基づいて、光出力部における光の出力を３以上の出力状態のうちから１以上の出力状態にするように指示する制御である多段階制御を行う光出力制御部を具備する。
【０００９】
中継装置は、外部情報の送信元を識別する送信元識別子と外部情報を受信する外部情報受信部と、外部情報の送信先を識別する送信先識別子と送信元識別子との対である送信管理情報を１組以上格納している送信管理情報格納部と、外部情報受信部が受信した外部情報が有する送信元識別子と対になる送信先識別子を送信管理情報格納部から取得する送信先識別子取得部と、送信先識別子取得部で取得した送信先識別子で識別される送信先に、外部情報受信部が受信した外部情報送信する外部情報送信部を具備する。
【００１０】
なお、情報処理システムにおいて中継装置が存在せず、第一光出力装置と第二光出力装
置でお互いに外部情報の送受信しあい、光出力装置が２つの外部情報に基づいて光出力する構成でも良い。
【００１１】
また、情報処理システムは以下の構成でも良い。情報処理システムは、第一光出力装置と中継装置と第二光出力装置を有する。中継装置は、複数の外部装置から複数の外部情報を受信する外部情報受信部と、複数の外部情報に基づいて光制御パラメータを決定する光制御パラメータ決定部と、光制御パラメータ決定部で決定した光制御パラメータを光出力装置に送信するパラメータ送信部を具備する。そして、光出力装置は、中継装置から送信された光制御パラメータに基づいて光出力する構成でも良い。
【発明の効果】
【００１２】
本発明によれば、複数の光出力装置の複数の使用者の状態を示す外部情報に基づいて、光出力装置が光出力することにより、複数人の間のコミュニケーションが自然に、しかも適切に行われる。
【発明を実施するための最良の形態】
【００１３】
（実施の形態１）
【００１４】
図１は、本実施の形態における情報処理システムのブロック図である。
【００１５】
本情報処理システムは、第一光出力装置１１と中継装置１２と第二光出力装置１３を有する。第一光出力装置１１および第二光出力装置１３は、各装置を保持している使用者の状態を示す情報である外部情報を取得し、お互いに外部情報を送信しあう。そして、第一光出力装置１１および第二光出力装置１３は、受信した相手の外部情報と自ら取得した外部情報に基づいて光を出力する。中継装置１２は、第一光出力装置１１から外部情報を受信し、当該外部情報を第二光出力装置１３に送信する。また、中継装置１２は、第二光出力装置１３から外部情報を受信し、当該外部情報を第一光出力装置１１に送信する。
【００１６】
第一光出力装置１１は、第一外部情報取得部１１１、第一送信元識別子格納部１１２、第一外部情報送信部１１３、第一外部情報受信部１１４、第一光出力制御部１１５、および第一光出力部１１６を有する。
【００１７】
第一外部情報取得部１１１は、第一光出力装置１１の使用者の状態に関する情報である第一の外部情報を取得する。外部情報は、使用者の何らかの状態に関する情報であれば何でも良い。外部情報は、例えば、使用者がキーボードを打つ速度の情報（例えば、仕事の忙しさを示す情報）、使用者（端末）が存在する位置を示す位置情報、使用者（端末）が存在する場所を示す場所情報、端末が握られた強さを示す圧力情報、使用者の心拍数を示す情報、使用者の体温を示す情報、端末が振られた際の振られた度合いを示す情報など種々ある。第一外部情報取得部１１１は、上記外部情報によって、実現手段が異なる。詳細は、実施の形態２以降で説明する。
【００１８】
第一送信元識別子格納部１１２は、第一光出力装置１１を識別する情報である第一の送信元識別子を格納している。第一送信元識別子格納部１１２は、半導体メモリやハードディスクやＣＤ−ＲＯＭなどの記憶媒体で実現される。通常、不揮発性のメモリで実現されるが、揮発性のメモリでも実現可能である。第一送信元識別子とは、送信元を識別する情報であれば何でも良く、例えば、本第一光出力装置１１に付されたＩＰアドレスがある。ＩＰＶｅｒ６の技術が普及すれば、多くの機器にＩＰアドレスが付され、相互に通信可能になり得る。また、送信元識別子は、第一光出力装置１１の使用者のメールアドレス等でも良い。また、第一光出力装置１１が携帯電話である場合には、送信元識別子は電話番号でも良い。
【００１９】
第一外部情報送信部１１３は、第一外部情報取得部１１１で取得した第一の外部情報と第一送信元識別子格納部１１２に格納されている第一の送信元識別子を送信する。第一外部情報送信部１１３は、通信手段で実現され得るが、放送手段で実現しても良い。通信手段は、無線通信手段でも、有線の通信手段でも良い。送信する外部情報によって、無線通信手段が適するか、有線の通信手段が適するかが決まると考えられる。
【００２０】
第一外部情報受信部１１４は、第二光出力装置１３から中継装置１２を経て送信された第二の外部情報を受信する。第二の外部情報は、第二光出力装置１３で取得された外部情報である。第一外部情報受信部１１４は、通信手段で実現され得るが、放送手段で実現しても良い。通信手段は、無線通信手段でも、有線の通信手段でも良い。送信する外部情報によって、無線通信手段が適するか、有線の通信手段が適するかが決まると考えられる。
【００２１】
第一光出力制御部１１５は、第一の外部情報と第二の外部情報に基づいて第一光出力部１１６を制御する。この光出力制御は、第一光出力部１１６における光の出力を３以上の出力状態（ＯＦＦも含む）のうちから１以上の出力状態にするように指示する制御である多段階制御である。第一光出力制御部１１５は、通常、ソフトウェアで実現され得るが、専用回路（ハードウェア）で実現しても良い。
【００２２】
第一光出力部１１６は、第一光出力制御部１１５の制御に従って、光を出力する。第一光出力部１１６は、ＬＥＤや豆電球や液晶ディスプレイやＣＲＴなど光を出力する媒体であれば何でも良い。但し、第一光出力部１１６は、ＯＦＦの状態も含めて３以上の状態を有するもの、つまり多段階（２段階以上）の光を出力できるものでなければならない。つまり、ＯＮとＯＦＦの２つの状態しか有さない光出力媒体は、第一光出力部１１６に該当しない。
【００２３】
中継装置１２は、第二外部情報受信部１２１、送信管理情報格納部１２２、送信先識別子取得部１２３、および第二外部情報送信部１２４を有する。
【００２４】
第二外部情報受信部１２１は、外部情報（第一または第二）と当該外部情報の送信元を識別する送信元識別子を受信する。第二外部情報受信部１２１は、通常、無線または有線の通信手段により実現され得るが、放送を受信する手段により実現しても良い。
【００２５】
送信管理情報格納部１２２は、外部情報の送信先を識別する送信先識別子と送信元識別子との対である送信管理情報を１組以上格納している。送信管理情報格納部１２２は、通常は、ハードディスクなどの不揮発性のメモリで実現され得るが、揮発性のメモリを排除するものではない。なお、送信先識別子と送信元識別子は、１対１の対応であるとは限らず、ｎ対１、１対ｎ、ｎ対ｎの対応関係にある場合もあり得る。
【００２６】
送信先識別子取得部１２３は、第二外部情報受信部１２１が受信した送信元識別子と対になる１以上の送信先識別子を送信管理情報格納部１２２から取得する。送信先識別子取得部１２３は、通常、ソフトウェアで実現され得るが、専用回路（ハードウェア）で実現しても良い。
【００２７】
第二外部情報送信部１２４は、送信先識別子取得部１２３で取得した送信先識別子で識別される送信先に、第二外部情報受信部１２１が受信した外部情報を送信する。第二外部情報送信部１２４は、無線または有線による通信手段（例えば、モデムとそのドライバーソフトウェア等）で実現され得るが、放送手段で実現しても良い。
【００２８】
第二光出力装置１３は、第三外部情報取得部１３１、第三送信元識別子格納部１３２、
第三外部情報送信部１３３、第三外部情報受信部１３４、第三光出力制御部１３５、および第三光出力部１３６を有する。
【００２９】
なお、第二光出力装置１３の第三外部情報取得部１３１、第三送信元識別子格納部１３２、第三外部情報送信部１３３、第三外部情報受信部１３４、第三光出力制御部１３５、および第三光出力部１３６は、各々第一光出力装置１１の第一外部情報取得部１１１、第一送信元識別子格納部１１２、第一外部情報送信部１１３、第一外部情報受信部１１４、第一光出力制御部１１５、および第一光出力部１１６と同様の機能を果たす。従って、本明細書において、第一外部情報取得部と第三外部情報取得部を外部情報取得部と言い、第三送信元識別子格納部と第三送信元識別子格納部を送信元識別子格納部と言い、第一外部情報送信部と第三外部情報送信部を外部情報送信部と言い、第一外部情報受信部と第三外部情報受信部を外部情報受信部と言い、第一光出力制御部と第三光出力制御部を光出力制御部と言い、および第一光出力部と第三光出力部を光出力部と言う場合がある。
【００３０】
第三外部情報取得部１３１は、第二の外部情報を取得する。第三外部情報取得部１３１は、第一外部情報取得部１１１と同様の機能を果たす。
【００３１】
第三送信元識別子格納部１３２は、第二光出力装置１３を識別する情報である第二の送信元識別子を格納している。第三送信元識別子格納部１３２は、半導体メモリやハードディスクやＣＤ−ＲＯＭなどの記憶媒体で実現される。通常、不揮発性のメモリで実現されるが、揮発性のメモリでも実現可能である。送信元識別子とは、送信元を識別する情報であれば何でも良く、例えば、本第二光出力装置１３に付されたＩＰアドレスがある。ＩＰＶｅｒ６の技術が普及すれば、多くの機器にＩＰアドレスが付され、相互に通信可能になり得る。また、送信元識別子は、第一光出力装置１１の使用者のメールアドレス等でも良い。また、第二光出力装置１３が携帯電話である場合には、送信元識別子は電話番号でも良い。
【００３２】
第三外部情報送信部１３３は、第三外部情報取得部１３１で取得した第二の外部情報と第三送信元識別子格納部１３２に格納されている第二の送信元識別子を送信する。第三外部情報送信部１３３は、通信手段で実現され得るが、放送手段で実現しても良い。通信手段は、無線通信手段でも、有線の通信手段でも良い。送信する外部情報によって、無線通信手段が適するか、有線の通信手段が適するかが決まると考えられる。
【００３３】
第三外部情報受信部１３４は、第一光出力装置１１から中継装置１２を経て送信された第一の外部情報を受信する。第一の外部情報は、第一光出力装置１１で取得された外部情報である。第三外部情報受信部１３４は、通信手段で実現され得るが、放送手段で実現しても良い。通信手段は、無線通信手段でも、有線の通信手段でも良い。送信する外部情報によって、無線通信手段が適するか、有線の通信手段が適するかが決まると考えられる。
【００３４】
第三光出力制御部１３５は、第一の外部情報と第二の外部情報に基づいて第三光出力部１３６を制御する。この光出力制御は、第三光出力部１３６における光の出力を３以上の出力状態（ＯＦＦも含む）のうちから１以上の出力状態にするように指示する制御である多段階制御を行う。第三光出力制御部１３５は、通常、第三光出力部１３６を制御するソフトウェアで実現され得るが、ハードウェアで実現しても良い。
【００３５】
第三光出力部１３６は、光を出力する。ＬＥＤや豆電球や液晶ディスプレイやＣＲＴなど光を出力する媒体であれば何でも良い。但し、第三光出力部１３６は、ＯＦＦの状態も含めて３以上の状態を有するもの、つまり多段階（２段階以上）の光を出力できるものでなければならない。つまり、ＯＮとＯＦＦの２つの状態しか有さない光出力媒体は、第三光出力部１３６に該当しない。
【００３６】
以上、説明したように第一光出力装置１１と第二光出力装置１３は同様の構成からなる。
【００３７】
以下、本情報処理システムの動作について説明する。まず。第一光出力装置１１の動作について図２のフローチャートを用いて説明する。
【００３８】
（ステップＳ２０１）第一外部情報取得部１１１が、外部情報の取得の開始指示を受け付けたか否かを判断する。開始指示を受け付ければステップＳ２０２に行き、開始指示を受け付けなければステップＳ２０１に戻る。なお、この開始指示は、外部情報の取得の開始指示とも言えるが、図２のフローチャート全体の処理の開始指示とも言える。
【００３９】
（ステップＳ２０２）第一外部情報取得部１１１が、自方の外部情報（第一外部情報を取得する。
【００４０】
（ステップＳ２０３）第一外部情報送信部１１３は、第一送信元識別子格納部１１２から送信元識別子を取得する。
【００４１】
（ステップＳ２０４）第一外部情報送信部１１３は、中継装置を識別する情報である中継装置識別子を取得する。中継装置識別子は、図示しない手段により予め格納されている、とする。中継装置識別子は、中継装置と通信をするための情報であり、例えば、中継装置のＩＰアドレス等である。
【００４２】
（ステップＳ２０５）第一外部情報送信部１１３は、自方の外部情報と送信元識別子を中継装置識別子で識別される中継装置に送信する。
【００４３】
（ステップＳ２０６）第一外部情報受信部１１４は、他方の外部情報（第二外部情報）を受信したか否かを判断する。受信すればステップＳ２０７に行き、受信しなければステップＳ２０６に戻る。
【００４４】
（ステップＳ２０７）第一光出力制御部は、ステップＳ２０２で取得した自方の外部情報とステップＳ２０６で受信した他方の外部情報から光出力制御するための制御パラメータを決定する。
【００４５】
（ステップＳ２０８）第一光出力部１１６は、ステップＳ２０７で決定した制御パラメータに基づいて、光を出力する。
【００４６】
（ステップＳ２０９）第一光出力装置１１は、終了信号を受信したか否かを判断する。終了信号を受信すれば終了し、受信しなければステップＳ２０１に戻る。
【００４７】
なお、図２のフローチャートによれば、外部情報の取得は、開始指示の受け付けをトリガーにして行われた。この開始指示は、具体的には、第一光出力装置１１の使用者が開始ボタンを押下することにより発生する。また、第二光出力装置１３や中継装置１２や他の装置から開始指示が送信され得る。但し、図２のフローチャートの動作は、何のトリガーもなく開始しても良い。
【００４８】
次に、中継装置１２の動作について、図３のフローチャートを用いて説明する。
【００４９】
（ステップＳ３０１）第二外部情報受信部１２１は、第一光出力装置１１または第二光出力装置１３から外部情報と送信元識別子を受信したか否かを判断する。受信すればステ
ップＳ３０２に行き、受信しなければステップＳ３０１に戻る。
【００５０】
（ステップＳ３０２）送信先識別子取得部１２３は、第二外部情報受信部１２１が受信した情報から送信元識別子を取得する。
【００５１】
（ステップＳ３０３）送信先識別子取得部１２３は、ステップＳ３０２で取得した送信元識別子と対になるすべての送信先識別子を取得する。なお、取得する送信先識別子は一つでも複数でも良い。
【００５２】
（ステップＳ３０４）第二外部情報送信部１２４は、ステップＳ３０３で取得した送信先識別子で識別される送信先に、ステップＳ３０１に受信した外部情報を送信する。その際、送信元識別子も外部情報と共に送信しても良いし、外部情報のみを送信しても良い。
【００５３】
なお、図３のフローチャートによれば、中継装置が外部情報を送信するのは、外部情報の受信をトリガーとして行ったが、第二光出力装置１３または第一光出力装置１１からのアクセス要求があった場合に、外部情報を送信しても良い。
【００５４】
次に、第二光出力装置１３の動作については、第一光出力装置１１の動作と同様であるので、説明を省略する。
【００５５】
以下、本実施の形態における情報処理システムの具体的な動作や、それを構成する光出力装置等の形状等を説明する。
【００５６】
今、第一光出力装置１１と第二光出力装置１３の構造は全く同じであり、その形状は、例えば、図４に示すように立方体（キューブ形状）であるとする。そして、両光出力装置の６面に圧力センサーが設置されており、両光出力装置を握った場合に、握った強さを示す圧力情報が両装置の外部情報取得部によってそれぞれ取得される。そして、各外部情報が中継装置を経由して他方の装置に送信される。つまり、本例の場合は、両光出力装置が取得して他方の装置に送信する外部情報は圧力情報を有し、外部情報取得部は、圧力情報取得部である。
【００５７】
また、両光出力装置は、自方の圧力情報と他方から送信された圧力情報に基づいて、光制御のパラメータを決定する。各光出力制御手段が光制御パラメータを決定するための表を図５に示す。図５の表は、「電圧」「自方の圧力情報（ｎ）」「他方の圧力情報（ｍ）」を属性に有する表である。「電圧」は、光出力するときの電圧を示す。電圧が大きいほど、各光出力部は明るく光る。図５によれば、自方の圧力情報または他方の圧力情報が「０」である場合は、「電圧」は「０」である。つまり、第一光出力装置と第二光出力装置の両方に圧力がかからなければ、光出力部は反応しない、つまり、光は出力されない。そして、自方の圧力情報または他方の圧力情報が「１〜９」であれば、自方の圧力情報または他方の圧力情報のうち小さい方の値が「電圧」の値になる。このことを「ｍｉｎ（ｎ，ｍ）」と表す。なお、ｎは自方の圧力情報を言い、ｍは他方の圧力情報を言う。さらに、自方の圧力情報および他方の圧力情報が１０以上の場合は、「電圧」は「ｎ＋ｍ（但し、最大３０）」となる。
【００５８】
以上より、各光出力装置を持っている両者が強い力で光出力装置を握った場合には、強い光を発し、一方でも握っていなければ光は出力されない。
【００５９】
その様子を図６に示す。両者が各光出力装置を握っているので、各光出力装置は強く光っている。
【００６０】
なお、両光出力装置には、立方体の各面（６面）に圧力センサーが設置されており、使用者が握った場合に、６面の圧力センサーにより測定された値が各外部情報取得部により取得される。そして、各外部情報送信部が外部情報を送信し、中継装置１２を経て、他方の光出力装置に送信される。かかる場合、各外部情報取得部で取得した外部情報を加工した情報を各外部情報送信部が送信しても良い。送信する情報は、取得した外部情報に基づいて加工された情報であるので、外部情報と言うこととする。そして、他方の光出力装置は、受信した他方からの外部情報と取得した自方の外部情報に基づいて光を出力する。図５、図６によれば、電圧制御部が圧力情報に基づいて電圧を制御する。
【００６１】
そして、各光出力装置の光出力制御部は、「受信した外部情報」「自方の外部情報」と「電圧」の関係により、多段階に光の出力を制御する。
【００６２】
以上、本実施の形態によれば、各光出力装置の使用者の状態を示す情報である外部情報を、中継装置を経て他方の光出力装置に送信し、各光出力装置で光出力することにより、お互いの状態を加味した情報をぼんやりとやわらかく出力することができる。
【００６３】
これにより、例えば、恋人同士で両光出力装置を持っており、両者が他方に会いたい気持ちを込めて、各光出力装置を握った場合に、各光出力装置はひかり輝く。そして、両者は、他方が自分に会いたがっていることが分かり、満足を得られる。
【００６４】
なお、本実施の形態、および以下で述べるすべての実施の形態において、中継装置は必須ではなく、第一光出力装置と第二光出力装置で直接的に外部情報の送受信をしても良い。
【００６５】
また、本実施の形態において、各光出力装置と中継装置の間で、送信元識別子が送受信され、中継装置が受信した送信元識別子から送信先識別子を取得する構成であった（この中継装置を適宜、第一の中継装置と言う。）が、各光出力装置から送信先識別子が中継装置に送信され、かつ中継装置は、以下の構成でも良い。
【００６６】
つまり、中継装置は、外部情報の送信先を識別する送信先識別子と外部情報を受信する第二外部情報受信部と、第二外部情報受信部が受信した外部情報が有する送信先識別子で識別される送信先に、第二外部情報受信部が受信した外部情報を送信する第二外部情報送信部とを具備する構成でも良い。なお、第二外部情報送信部は、自動的に外部情報を送信しても、光出力装置からの外部情報アクセス要求があった場合に、外部情報を送信しても良い。なお、この中継装置を適宜、第二の中継装置と言う。
【００６７】
さらに、本実施の形態において、第一外部情報と第二外部情報に基づいて光制御パラメータを決定したのは、各光出力装置であったが、中継装置が第一外部情報と第二外部情報から光制御パラメータを決定しても良い。かかる第三の中継装置については、実施の形態２で述べる。
【００６８】
以上の３種類の中継装置がありえるのは、本明細書の全ての実施の形態において言えることである。
【００６９】
また、本実施の形態において、光制御パラメータは、各光出力装置で決定したが、実施の形態２で述べるように、中継装置で決定しても良い。かかる場合、中継装置で決定した光制御パラメータは各光出力装置に送信され、各光出力装置は当該光制御パラメータに基づいて光出力する。このことは、他の実施の形態においても同様である。
【００７０】
また、本実施の形態によれば、各光出力制御部は、光制御パラメータに基づいて光の強
さを制御したが、他の光の制御をしても良い。他の光の制御には、以下のようなものがある。
【００７１】
まず、各光出力制御部は、光制御パラメータに基づいて、３以上の光の色のうちから１の光の色を出力するように指示しても良い。具体的には、図７に示すように、光出力部１３２を構成する光源は「赤」「青」「緑」の３つのＬＥＤが束ねてある構成であるとする。そして、光出力制御部１３３は、第三外部情報受信部１３１が受信した外部情報に基づいて、「赤」「青」「緑」の３原色のＬＥＤに各々、どれぐらいの電圧をかけて、３つのＬＥＤを光らすかを決定する。つまり、３色の光の強さを決定する。３つのＬＥＤを光の強度を制御することにより、出力する光の色が制御できる。
【００７２】
また、３以上の光の点滅方法のうちから１の光の点滅方法で光の出力をするように指示しても良い。つまり、例えば、図８に示すような「光制御パラメータ」と「点滅パターン」の情報を光出力制御部が管理している。そして、光制御パラメータに基づいて、豆電球のＯＮ／ＯＦＦのパターンを決定する。
【００７３】
また、３以上の光源の回転方法のうちから１の光源の回転方法で光を出力するように指示しても良い。具体的には、例えば、以下の構成をとる。つまり、図９に示すように、例えば、各光出力部の横に回転可能な反射鏡が設置されている、とする。そして、モータ等の動力により反射鏡が回転する。そして、反射鏡の回転パターンや回転速度等が受信した外部情報に基づいて決められる。例えば、受信した外部情報の値を回転速度として、反射鏡が回転する。
【００７４】
さらに、３以上の光源の大きさのうちから１の光源の大きさで光を出力するように指示しても良い。具体的には、例えば、以下の構成をとる。つまり、図１０に示すように、立方体の中にさらに立方体を構成して、光を出力するディスプレイ（例えば、液晶ディスプレイ）が６つ存在している。この６つのディスプレイが各光出力部である。そして、ディスプレイに出力する光（例えば、赤色、円形グラフィックス表示）により各光出力装置がぼんやり赤く光っているように見える。そして、受信した外部情報に基づいてディスプレイに出力する光（グラフィック表示）の大きさを変更することにより、光出力制御を行う。
【００７５】
以上の光出力の制御は、多段階（ＯＦＦも含めて３段階以上）に光の出力の制御を行うことが重要で、光の強さの変化で情報を伝達するのか、光の点滅パターンの違いで情報を伝達するのか等問わない。つまり、上記種々（上では５種類述べたが、他でも良い。）の光制御方法のうち、どれでもとり得る。このことは、以下のすべての実施の形態において同様である。
【００７６】
また、本実施の形態において、情報処理端末と光出力装置の形状は、立方体であったが、球状や人形、動物の形など、何でも良い。これも、すべての実施の形態において同様である。
【００７７】
さらに、本実施の形態において説明した動作について、ソフトウェアで実現し、当該ソフトウェアを例えば、サーバ上に置いて、ソフトウェアダウンロードにより当該ソフトウェアを配布しても良い。さらにソフトウェアをＣＤ−ＲＯＭ等の記録媒体に記録して流布しても良い。このことも、すべての実施の形態において同様である。
【００７８】
（実施の形態２）
【００７９】
図１１は、本実施の形態における情報処理システムのブロック図である。
【００８０】
本情報処理システムは、第一光出力装置１１０１と中継装置１１０２と第二光出力装置１１０３を有する。
【００８１】
第一光出力装置１１０１は、第一外部情報取得部１１１、第一送信元識別子格納部１１２、第一外部情報送信部１１３、第一光出力部１１６、第一パラメータ受信部１１０１１、および第一光出力制御部１１０１５を有する。
【００８２】
第一パラメータ受信部１１０１１は、中継装置１１０２から光制御パラメータを受信する。第一パラメータ受信部１１０１１は、通常、無線の通信手段により実現され得るが、有線の通信手段でも良い。また、第一パラメータ受信部１１０１１は、放送を受信する手段、例えばチューナーとそのドライバーソフトウェアにより実現されても良い。
【００８３】
第一光出力制御部１１０１５は、第一パラメータ受信部１１０１１が受信した光制御パラメータに基づいて光出力するように光出力部１１６に指示する。第一光出力制御部１１０１５は、通常、ソフトウェアで実現され得るが、専用回路（ハードウェア）で実現しても良い。
【００８４】
中継装置１１０２は、第二外部情報受信部１２１、送信管理情報格納部１２２、送信先識別子取得部１２３、光制御パラメータ決定部１１０２１、およびパラメータ送信部１１０２２を有する。
【００８５】
光制御パラメータ決定部１１０２１は、第二外部情報受信部１２１が受信した第一外部情報と第二外部情報に基づいて光出力制御パラメータを決定する。光制御パラメータは、通常、ソフトウェアで実現され得るが、専用回路（ハードウェア）で実現しても良い。光制御パラメータ決定部１１０２１がどのようなアルゴリズムで光出力制御パラメータを決定するかは問わない。当該アルゴリズムの例は、以下で詳細に述べる。
【００８６】
パラメータ送信部１１０２２は、光制御パラメータ決定部１１０２１が決定した光制御パラメータを各光出力装置に送信する。パラメータ送信部１１０２２は、通常、無線または有線の通信手段で実現され得るが、放送手段で実現しても良い。
【００８７】
第二光出力装置１１０３は、第三外部情報取得部１３１、第三送信元識別子格納部１３２、第三外部情報送信部１３３、第三光出力部１３６、第三パラメータ受信部１１０３１、および第三光出力制御部１１０３５を有する。
【００８８】
第三パラメータ受信部１１０３１は、中継装置１１０２から光制御パラメータを受信する。第三パラメータ受信部１１０３１は、通常、無線の通信手段により実現され得るが、有線の通信手段で実現しても良い。また、第三パラメータ受信部１１０３１は、放送を受信する手段（チューナーとドライバソフト等）により実現しても良い。
【００８９】
第三光出力制御部１１０３５は、第三パラメータ受信部１１０３１が受信した光制御パラメータに基づいて光出力するように第三光出力部１３６に指示する。第三光出力制御部１１０３５は、通常、ソフトウェアで実現され得るが、専用回路（ハードウェア）で実現しても良い。
【００９０】
以下、本情報処理システムの動作について説明する。まず。第一光出力装置１１０１の動作について図１２のフローチャートを用いて説明する。
【００９１】
（ステップＳ１２０１）第一外部情報取得部１１１が、外部情報の取得の開始指示を受
け付けたか否かを判断する。開始指示を受け付ければステップＳ１２０２に行き、開始指示を受け付けなければステップＳ１２０１に戻る。なお、この開始指示は、外部情報の取得の開始指示とも言えるが、図１２のフローチャート全体の処理の開始指示とも言える。
【００９２】
（ステップＳ１２０２）第一外部情報取得部１１１が、自方の外部情報（第一外部情報を取得する。
【００９３】
（ステップＳ１２０３）第一外部情報送信部１１３は、第一送信元識別子格納部１１２から送信元識別子を取得する。
【００９４】
（ステップＳ１２０４）第一外部情報送信部１１３は、中継装置を識別する情報である中継装置識別子を取得する。中継装置識別子は、図示しない手段により予め格納されている、とする。中継装置識別子は、中継装置と通信をするための情報であり、例えば、中継装置のＩＰアドレス等である。
【００９５】
（ステップＳ１２０５）第一外部情報送信部１１３は、自方の外部情報と送信元識別子を中継装置識別子で識別される中継装置に送信する。
【００９６】
（ステップＳ１２０６）第一パラメータ受信部１１０１１が光制御パラメータを受信したか否かを判断する。光制御パラメータを受信すればステップＳ１２０７に行き、受信していなければステップＳ１２０６に戻る。
【００９７】
（ステップＳ１２０７）第一光出力制御部１１０１５は、第一パラメータ受信部１１０１１が受信した光制御パラメータに従って光出力するように第一光出力部１１６に指示する。
【００９８】
（ステップＳ１２０８）第一光出力部１１６は、光制御パラメータに従って光出力する。
【００９９】
（ステップＳ１２０９）第一光出力装置１１は、終了信号を受信したか否かを判断する。終了信号を受信すれば終了し、受信しなければステップＳ２０１に戻る。
【０１００】
なお、図１２のフローチャートによれば、外部情報の取得は、開始指示の受け付けをトリガーにして行われた。この開始指示は、具体的には、第一光出力装置１１０１の使用者が開始ボタンを押下することにより発生する。また、第二光出力装置１１０３や中継装置１１０２や他の装置から開始指示が送信され得る。但し、図１２のフローチャートの動作は、何のトリガーもなく開始しても良い。
【０１０１】
次に、中継装置１１０２の動作について、図１３のフローチャートを用いて説明する。
【０１０２】
（ステップＳ１３０１）第二外部情報受信部１２１は、第一光出力装置１１０１から外部情報と送信元識別子を受信したか否かを判断する。受信すればステップＳ１３０２に行き、受信しなければステップＳ１３０１に戻る。
【０１０３】
（ステップＳ１３０２）第二外部情報受信部１２１は、第二光出力装置１１０３から外部情報と送信元識別子を受信したか否かを判断する。受信すればステップＳ１３０３に行き、受信しなければステップＳ１３０２に戻る。
【０１０４】
（ステップＳ１３０３）送信先識別子取得部１２３は、ステップＳ１３０１で受信した送信元識別子と対になった送信先識別子を送信管理情報格納部から取得する。
【０１０５】
（ステップＳ１３０４）送信先識別子取得部１２３は、ステップＳ１３０２で受信した送信元識別子と対になった送信先識別子を送信管理情報格納部から取得する。
【０１０６】
（ステップＳ１３０５）光制御パラメータ決定部１１０２１は、ステップＳ１３０１、ステップＳ１３０２で取得した２つの外部情報に基づいて光制御パラメータを決定する。
【０１０７】
（ステップＳ１３０６）一方の相手先（ステップＳ１３０３で取得した送信先識別子が示す送信先）にステップＳ１３０５で決定した光制御パラメータを送信する。
【０１０８】
（ステップＳ１３０７）他方の相手先（ステップＳ１３０４で取得した送信先識別子が示す送信先）にステップＳ１３０５で決定した光制御パラメータを送信する。
【０１０９】
なお、図１３のフローチャートによれば、中継装置が光制御パラメータを送信するのは、外部情報の受信をトリガーとして行ったが、第二光出力装置１１０３または第一光出力装置１１０１からのアクセス要求があった場合に、光制御パラメータを送信しても良い。
【０１１０】
また、図１３のフローチャートによれば、第二外部情報受信部１２１は、第一光出力装置１１０１から外部情報の受信を、第二光出力装置１１０３から外部情報の受信より先に判断したが、その順序は問わない。
【０１１１】
なお、第二光出力装置１１０３の動作は、第一光出力装置１１０１と同様であるので、説明を省略する。
【０１１２】
以下、本実施の形態における情報処理システムの具体的な動作や、それを構成する光出力装置等の形状等を説明する。
【０１１３】
今、第一光出力装置１１０１と第二光出力装置１１０３の構造は全く同じであり、その形状は、図４に示すように立方体（キューブ形状）であるとする。
【０１１４】
そして、中継装置１１０２の光制御パラメータ決定部１１０２１は、図５に示すような表を格納している。かかる場合、第一光出力装置１１０１と第二光出力装置１１０３から外部情報（圧力情報）が中継装置１１０２に送信され、光制御パラメータ決定部１１０２１は、図５の表に基づいて電圧を決定する。なお、例えば、図５の「自方の圧力情報」は第一光出力装置１１０１から送信される圧力情報（外部情報）、「他方の圧力情報」は第二光出力装置１１０３から送信される圧力情報（外部情報）であるとする。
【０１１５】
かかる場合、第一光出力装置１１０１から「２」の圧力情報が送信され、第二光出力装置１１０３から「２５」の圧力情報が送信された場合は、「ｍｉｎ（ｎ，ｍ）」が適用され、電圧が「２」と決定される。そして、制御パラメータ「２」が
第一光出力装置１１０１と第二光出力装置１１０３に送信される。そして、第一光出力装置１１０１と第二光出力装置１１０３は電圧「２」の強さで光が出力される。
【０１１６】
以上より、各光出力装置を持っている両者が強い力で光出力装置を握った場合には、強い光を発し、一方でも握っていなければ光は出力されない。ただし、その制御パラメータは中継装置１１０２で決定される。
【０１１７】
以上、本実施の形態によれば、各光出力装置の使用者の状態を示す情報である外部情報を、中継装置に送信し、中継装置で光制御するためのパラメータを決定した。そして、当該パラメータを各光出力装置に送信し、各光出力装置で光出力することにより、お互いの
状態を加味した情報をぼんやりとやわらかく出力することができる。
【０１１８】
これにより、例えば、恋人同士で両光出力装置を持っており、両者が他方に会いたい気持ちを込めて、各光出力装置を握った場合に、各光出力装置はひかり輝く。そして、両者は、他方が自分に会いたがっていることが分かり、満足を得られる。
【０１１９】
また、本実施の形態によれば、光出力装置は、外部情報を取得して中継装置に送信する構成要素（外部情報取得部、送信元識別子格納部、外部情報送信部）と、光出力するためお構成要素（光出力部、第一パラメータ受信部、光出力制御部）は、物理的に一の装置の中に存在したが、外部情報を取得して中継装置に送信する構成要素と光出力するためお構成要素は物理的に分離していても良い。これは、他の実施の形態で述べる光出力装置においても同様である。
【０１２０】
なお、本実施の形態において、情報処理システムを構成する光出力装置は２つであり、中継装置は２つの外部情報に基づいて光制御パラメータを決定したが、３以上の光出力装置から送信される外部情報により光制御パラメータを決定しても良い。このことは、実施の形態１を含め、他の実施の形態においても該当する。
【０１２１】
（実施の形態３）
【０１２２】
図１４は、本実施の形態における情報処理システムのブロック図である。
【０１２３】
本情報処理システムは、第一光出力装置１４０１と中継装置１１０２と第二光出力装置１４０３を有する。
【０１２４】
第一光出力装置１４０１は、第一外部情報取得部１４０１１、第一種類情報格納部１４０１２、第一光出力部１４０１３、第一パラメータ受信部１４０１４、第一光出力制御部１４０１５、第一送信元識別子格納部１１２、および第一外部情報送信部１１３を有する。
【０１２５】
第一外部情報取得部１４０１１は、外部情報を取得する。第一外部情報取得部１４０１１は、第一圧力取得手段１４０１１１、第一位置情報取得手段１４０１１２、および第一外部情報構成手段１４０１１３を有する。
【０１２６】
第一圧力取得手段１４０１１１は、圧力に関する情報である圧力情報を取得する。第一圧力取得手段１４０１１１は、１以上の圧力センサーにより実現され得る。第一圧力取得手段１４０１１１は、例えば、実施の形態１で述べたように、６つの圧力センサーの値を取得する、とする。
【０１２７】
第一位置情報取得手段１４０１１２は、第一光出力装置１４０１が存在する位置に関する情報である位置情報を取得する。第一位置情報取得手段１４０１１２は、例えば、ＧＰＳシステムの受信機で構成され得る。かかる場合、位置情報は、ＧＰＳ座標値である。また、第一位置情報取得手段１４０１１２は、携帯電話の３つの局装置からの電波の強さを認識して、位置を特定する手段で実現しても良い。
【０１２８】
および第一外部情報構成手段１４０１１３は、第一圧力取得手段１４０１１１が取得した圧力情報および／または第一位置情報取得手段１４０１１２が取得した位置情報に基づいて外部情報を構成する。外部情報は、情報の種類を示す情報である種類情報と当該種類情報が示す情報の値である情報値の組を１組以上有する。
【０１２９】
第一種類情報格納部１４０１２は、第一光出力装置１４０１が処理の対象とする情報の種類である種類情報を格納している。この処理とは、光出力処理である。つまり、第一光出力装置１４０１が反応する情報が、第一種類情報格納部１４０１２に格納されている種類情報により判断できる。第一種類情報格納部１４０１２は、ハードディスクなどの不揮発性の記録媒体でも良いが、揮発性の記録媒体でも良い。
【０１３０】
第一光出力部１４０１３は、光を出力する。第一光出力部１４０１３は、実施の形態１または２で述べたＬＥＤや豆電球などの光出力媒体で実現され得る。第一光出力部１４０１３は、第一一光出力手段１４０１３１と第一二光出力手段１４０１３２の２つの光出力手段を具備する。
【０１３１】
第一パラメータ受信部１４０１４は、中継装置１１０２から送信された光制御パラメータを受信する。第一パラメータ受信部１４０１４は、無線または有線の通信手段により実現され得るが、放送を受信する手段（チューナーおよびドライバソフト）で実現しても良い。
【０１３２】
第一光出力制御部１４０１５は、第一パラメータ受信部１４０１４が受信した光制御パラメータに基づいて光出力部１４０１３に光出力することを指示する。圧力情報についての光制御パラメータは、第一一光出力手段１４０１３１を制御し、位置情報についての光制御パラメータは、第一二光出力手段１４０１３２を制御する。第一光出力制御部１４０１５は、通常、ソフトウェアで実現され得るが、専用回路（ハードウェア）で実現しても良い。
【０１３３】
第二光出力装置１４０３は、第三外部情報取得部１４０３１、第三種類情報格納部１４０３２、第三光出力部１４０３３、第三パラメータ受信部１４０３４、第三光出力制御部１４０３５、第三送信元識別子格納部１３２、および第三外部情報送信部１３３を有する。
【０１３４】
そして、第三外部情報取得部１４０３１と第一外部情報取得部１４０１１、第三種類情報格納部１４０３２と第一種類情報格納部１４０１２、第三光出力部１４０３３と第一光出力部１４０１３、第三パラメータ受信部１４０３４と第一パラメータ受信部１４０１４、第三光出力制御部１４０３５と第一光出力制御部１４０１５、第三送信元識別子格納部１３２と第一送信元識別子格納部１１２、および第三外部情報送信部１３３と第一外部情報送信部１１３は同じ機能をはたすのでここでの説明は省略する。
【０１３５】
以下、本情報処理システムの動作について説明する。まず。第一光出力装置１４０１の動作について図１５のフローチャートを用いて説明する。
【０１３６】
（ステップＳ１５０１）第一位置情報取得手段１４０１１２は、位置情報を取得する。
【０１３７】
（ステップＳ１５０２）第一圧力取得手段１４０１１１は、圧力情報の入力があったか否かを判断する。圧力情報の入力があれば、ステップＳ１５０３に行き、圧力情報の入力がなければステップＳ１５０４に飛ぶ。
【０１３８】
（ステップＳ１５０３）第一圧力取得手段１４０１１１は、圧力情報を生成する。圧力情報の生成とは、１以上の圧力センサーの測定結果から送信する圧力情報を構成することを言う。「圧力情報を構成する」とは、例えば、圧力センサーが６つある場合に、６つのセンサーの測定値の平均をとる処理を言う。また、「圧力情報を構成する」とは、例えば、圧力センサーが６つある場合に、圧力を検知できたセンサーの数によって、情報処端末をどのように触ったかがわかり、その触った状態を推測して情報として生成するような処
理がある。具体的には、５つのセンサーが０より大きな値を検知した場合は、使用者は情報処理装置をわし掴みしていると判断する。また、４つのセンサーから値を検知できた場合は、使用者は情報処理装置を普通に掴んでいる、と判断する。さらに、１つのセンサーのみ値を検知できた場合は、使用者は情報処理装置を指等で触っている（押している）だけである、と判断する。そして、第一圧力取得手段１４０１１１は、触り方（例えば、０より大きな値を示したセンサーの数が触り方を示す値である、とする。）と圧力の大きさ（例えば、「０より大きな値を示したセンサーの測定値の総和」／「０より大きな値を示したセンサーの数」を圧力の大きさとする。）の２つの情報を圧力情報として生成する、ことが考えられる。
【０１３９】
（ステップＳ１５０４）第一外部情報構成手段１４０１１３は、位置情報および／または圧力情報から外部情報を構成する。なお、この外部情報は、情報の種類を示す情報である種類情報と当該種類情報に対応する値である情報値の組を１組以上有する。
【０１４０】
（ステップＳ１５０５）第一外部情報送信部１１３は、送信元識別子格納部１１２から第一光出力装置１４０１を識別する送信元識別子を取得する。
【０１４１】
（ステップＳ１５０６）第一外部情報送信部１１３は、予め格納されている中継装置識別子を取得する。
【０１４２】
（ステップＳ１５０７）第一外部情報送信部１１３は、ステップＳ１５０４で構成した外部情報とステップＳ１５０５で取得した送信元識別子を中継装置識別子で識別される中継装置に送信する。
【０１４３】
（ステップＳ１５０８）第一パラメータ受信部１４０１４が、光制御パラメータを受信したか否かを判断する。光制御パラメータを受信すればステップＳ１５０９に行き、光制御パラメータを受信しなければステップＳ１５０８に戻る。
【０１４４】
（ステップＳ１５０９）第一光出力制御部１４０１５は、ステップＳ１５０８で受信した制御パラメータ中に圧力情報の出力に関するパラメータである圧力パラメータが存在するか否かを判断する。圧力パラメータが存在すればステップＳ１５１０に行き、圧力パラメータが存在しなければステップＳ１５１２に飛ぶ。なお、この段階で圧力パラメータを取得する。
【０１４５】
（ステップＳ１５１０）第一光出力制御部１４０１５は、取得した圧力パラメータに基づいて第一一光出力手段１４０１３１に対して光出力するように指示する。
【０１４６】
（ステップＳ１５１１）第一一光出力手段１４０１３１は、圧力パラメータに基づいて光出力する。
【０１４７】
（ステップＳ１５１２）第一光出力制御部１４０１５は、ステップＳ１５０８で受信した制御パラメータ中に位置情報の出力に関するパラメータである位置パラメータが存在するか否かを判断する。位置パラメータが存在すればステップＳ１５１３に行き、位置パラメータが存在しなければステップＳ１５１５に飛ぶ。なお、この段階で位置パラメータを取得する。
【０１４８】
（ステップＳ１５１３）第一光出力制御部１４０１５は、取得した位置パラメータに基づいて第一二光出力手段１４０１３２に対して光出力するように指示する。
【０１４９】
（ステップＳ１５１４）第一二光出力手段１４０１３２は、位置パラメータに基づいて
光出力する。
【０１５０】
（ステップＳ１５１５）終了信号が入力されたか否かを判断する。終了信号が入力されれば光出力を終了する。終了信号が入力されなければステップＳ１５０１に戻る。
【０１５１】
なお、図１５のフローチャートによれば、外部情報の取得は、何らのトリガーもなく行われたが、第一光出力装置１４０１の使用者が開始ボタンを押下するなどのトリガーをかけてから、動作が開始されても良い。また、第二光出力装置１４０３や中継装置１１０２や他の装置からトリガーをかける信号を受信した場合に、ステップＳ１５０１の外部情報の取得動作を開始しても良い。
【０１５２】
次に、第二光出力装置１４０３の動作は、第一光出力装置１４０１と同様であるので、説明を省略する。
【０１５３】
以下、本実施の形態における情報処理システムの具体的な動作等を説明する。
【０１５４】
今、図１６に示すように、第一光出力装置１４０１と第二光出力装置１４０３の形状が、それぞれ立方体（キューブ形状）であるとする。そして、第一光出力装置１４０１と第二光出力装置１４０３は、６面の各面に１つずつ、合計６つの圧力センサーと、１つのＧＰＳの受信機を有している。かかる設備を有する両装置は、図１７に示すような構造の情報を圧力情報取得手段によって得る。具体的な圧力情報の例は、図１８に示す。また、両装置は、ＧＰＳ座標値の構造を有する位置情報（Ｘ，Ｙ，Ｚ）を位置情報取得手段によって得る。具体的な位置情報の例は、図１９に示す。第一外部情報構成手段１４０１１３および第三外部情報構成手段１４０３１３は、６つの圧力情報に基づいて送信する圧力情報を得る。具体的には、「０以外の情報の総和」／「０以外の情報の数」を情報値として計算する。この例の場合は、（０＋０＋２０＋５＋５＋２０）／４により１２．５の値を得る。そして圧力情報として、「＜情報種類＞圧力情報、＜ＩＤ＞１、＜情報値＞１２．５」を得る。
【０１５５】
以上より、第一外部情報構成手段１４０１１３および第三外部情報構成手段１４０３１３は、それぞれ外部情報を構成する。例えば、第一外部情報構成手段１４０１１３は、図２０に示すような２つの種類情報と情報値とＩＤを有するレコードを２組構成する。そして、第三外部情報構成手段１４０３１３は、図２１に示すような２つの種類情報と情報値とＩＤを有するレコードを２組構成する。つまり、両装置の外部情報は、「種類情報」と「情報値」と「ＩＤ」を有するレコードが１組以上存在する構成となる。なお、「ＩＤ」は、種類情報を識別する情報であり、「ＩＤ」を「種類情報」としても良い。
【０１５６】
そして、第一外部情報送信部１１３および第三外部情報送信部１３３は、上記外部情報を中継装置１１０２に送信する。
【０１５７】
そして、中継装置１１０２の光制御パラメータ決定部１１０２１は、両装置の圧力情報と位置情報に基づいて、それぞれの光制御パラメータを決定する。
【０１５８】
具体的には、図２０の外部情報と図２１の外部情報に基づいて、光制御パラメータ決定部１１０２１は、光制御パラメータを決定する。その際、圧力パラメータは、図５の表に従って決定される。つまり、光制御パラメータ決定部１１０２１は内部に図５の表を格納しており、「１２．５」と「５」の２つの圧力情報を受信すれば、図５の「ｍｉｎ（ｎ，ｍ）」が適用され、「ｍｉｎ（１２．５、５）」により、圧力パラメータは「５」となる。また、光制御パラメータ決定部１１０２１は、図２２に示す表を格納している。そして、受信した２つの外部情報に含まれる位置情報から、第一光出力装置１４０１と第二光出
力装置１４０３の距離を算出する。距離の算出は、２つのＧＰＳ座標（２つの外部情報に含まれる位置情報）から行う。そして、算出した距離に基づいて図２２の表により「電圧」を決定する。この「電圧」が位置パラメータである。つまり、第一光出力装置１４０１と第二光出力装置１４０３の距離が近いほど、第一光出力装置１４０１と第二光出力装置１４０３において、強い電圧で光が出力される。
【０１５９】
次に、第一種類情報格納部１４０１２および第三種類情報格納部１４０３２は、情報種類として、「位置情報」と「圧力情報」を格納している、とする。かかる場合、図２０、図２１に示す情報は、それぞれ２レコードとも光制御の対象になる。そして、本実施の形態において、第一光出力制御部１４０１５、第三光出力制御部１４０３５は、中継装置から送信される光制御パラメータの中の「位置パラメータ」の値に応じて、第一一光出力手段１４０１３１、第三一光出力手段１４０３３１を制御し、光制御パラメータの中の「圧力パラメータ」の値に応じて、第一二光出力手段１４０１３２、および第三二光出力手段１４０３３２を制御する。そして、例えば、第一一光出力手段１４０１３１、および第三一光出力手段１４０３３１は、青のＬＥＤで構成され、加える電圧を強くするほど強く光る。また、第一二光出力手段１４０１３２、および第三二光出力手段１４０３３２は、赤のＬＥＤで構成され、加える電圧を強くするほど強く光る。図２３は、簡単な第一光出力装置１４０１および第二光出力装置１４０３の外観を示した図である。また、図２４は、光出力している第一光出力装置１４０１および第二光出力装置１４０３の様子を示した図である。なお、もし受信した外部情報に「位置情報」についての制御パラメータと「圧力情報」についての制御パラメータ以外の制御パラメータが含まれていれば、その制御パラメータは無視される。
【０１６０】
以上の光制御により、第一光出力装置を持っている人と第一光出力装置を持っている人の距離がやわらかく伝わる。従って、上述した「外部情報に基づいて光出力を制御する」というのは、外部情報以外の情報を利用しても良い。
【０１６１】
また、複数の位置情報と位置情報を取得した時刻に基づいて、第一光出力装置と第一光出力装置の動く方向が取得できる。かかる方向により、第一光出力装置と第一光出力装置が近づいているのか遠ざかっているのかが判断できる。この方向の情報に基づく判断により、中継装置が制御パラメータを決定しても良い。つまり、距離が遠くても近づいているときは位置パラメータ（電圧）を大きくし、距離が近くても遠ざかっているときは位置パラメータ（電圧）を小さくするように、中継装置が制御パラメータを決定しても良い。
【０１６２】
なお、移動する方向を取得する技術として、地磁気センサー等を利用した公知技術等を用いても良い。
【０１６３】
また、第一光出力装置と第一光出力装置を各々が握る強さを、第一光出力部の第一二光出力手段と第三光出力部の第三二光出力手段に出力した。その場合、上述したように、お互いが強く第一光出力装置または第一光出力装置を握ると、その握る強さを光出力の強さとして出力することが考えられた。
【０１６４】
例えば、恋人どうしが会うために接近しており、かつ第一光出力装置、第一光出力装置を持っている各人が各装置を強く握っていた場合に、上記の光出力動作により、立方体の形状を有する光出力装置の青い出力（位置情報の出力）と赤い出力（圧力情報）はどんどん強くなって、相手に会いたい、という気持ちが、やわらかく伝わる。
【０１６５】
以上、本実施の形態によれば、各光出力装置を持っている各人の複数の種類の情報から各光出力装置を光らせることにより、各人の複数の状況が他方の人に伝わり、多数の情報が人から人へのやわらかく伝わる通信システムを提供できる。
【０１６６】
なお、本実施の形態において、外部情報を構成するものとして、位置情報と圧力情報を選択したが、各光出力装置を保持する人の状態を示す情報であれば他でも良い。他の実施の形態においても同様である。
【０１６７】
また、光出力制御は、光の強さを制御する態様で説明したが、実施の形態１で述べた他の態様でも（５種類の光制御方法のうちどれでも）良い。これは、すべての実施の形態において適用される。
【０１６８】
また、第一光出力部および第三光出力部が有する光出力出段は２つであったが、３以上でも良いし、１つでも良い。これも他の実施の形態においても同様である。
【０１６９】
また、本実施の形態において、位置情報の取得は、ＧＰＳを用いておこなったが、携帯電話の基地局からの電波を利用して位置情報を取得するなど、他の手段でも良い。かかる技術は公知技術であるので、詳細な説明は省略する。これも他の実施の形態においても同様である。
【０１７０】
また、本実施の形態において、固定的に、位置情報に基づいて第一光出力手段を制御し、圧力情報に基づいて第二光出力手段を制御していたが、どの情報に基づいてどの光出力手段を制御するかについてカスタマイズ可能であっても良い。
【０１７１】
さらに、第一光出力装置および第二光出力装置が受信する外部情報が有する種類情報がそれぞれの種類情報格納部に格納されている場合（つまり、外部情報が有する種類情報と第一または第三種類情報格納部に格納されている種類情報が一致する場合）に光制御の対象としたが、外部情報が有する種類情報と各種類情報格納部に格納されている種類情報が一定の関係にあれば光出力制御の対象として良い。これも他の実施の形態においても同様である。
【０１７２】
（実施の形態４）
【０１７３】
図２５は、本実施の形態における情報処理システムのブロック図である。
【０１７４】
本情報処理システムは、第一光出力装置２５０１と中継装置１１０２と第二光出力装置２５０３を有する。
【０１７５】
第一光出力装置２５０１は、第一外部情報取得部１４０１１、第一種類情報格納部２５０１２、第一光出力部２５０１３、第一パラメータ受信部１４０１４、第一光出力制御部２５０１５、第一送信元識別子格納部１１２、および第一外部情報送信部１１３を有する。
【０１７６】
第一外部情報取得部１４０１１は、外部情報を取得する。第一外部情報取得部１４０１１は、第一圧力取得手段１４０１１１、第一位置情報取得手段１４０１１２、および第一外部情報構成手段１４０１１３を有する。
【０１７７】
第一種類情報格納部２５０１２は、第一光出力装置２５０１が処理の対象とする情報の種類である種類情報（光制御パラメータが対応する情報）と当該種類情報に反応する光出力手段を識別する光出力手段識別子と光出力の方法を識別する光出力方法識別子を有する光出力制御レコードを１以上格納する光出力制御表を格納している。第一種類情報格納部２５０１２は、ハードディスクなどの不揮発性の記録媒体でも良いが、揮発性の記録媒体でも良い。
【０１７８】
第一光出力部２５０１３は、光を出力する。第一光出力部２５０１３は、第一一光出力手段２５０１３１と第一二光出力手段２５０１３２の２つの光出力手段を具備する。各光出力手段は、実施の形態１から実施の形態３で述べたＬＥＤや豆電球などの光出力媒体で実現され得る。
【０１７９】
第一光出力制御部２５０１５は、第一パラメータ受信部１４０１４が受信した光制御パラメータに基づいて光出力部２５０１３の第一一光出力手段２５０１３１および第一二光出力手段２５０１３２に光出力することを指示する。第一光出力制御部２５０１５は、第一パラメータ受信部１４０１４が受信した光制御パラメータが有する情報種類に対応する光出力制御レコードが有する光出力手段識別子で識別される光出力手段に対して、当該光出力制御レコードが有する光出力方法識別子で識別される光出力方法で光出力するように指示する。第一光出力制御部２５０１５は、通常、ソフトウェアで実現され得るが、専用回路（ハードウェア）で実現しても良い。
【０１８０】
第二光出力装置２５０３は、第三外部情報取得部１４０３１、第三種類情報格納部２５０３２、第三光出力部２５０３３、第三パラメータ受信部１４０３４、第三光出力制御部２５０３５、第三送信元識別子格納部１３２、および第三外部情報送信部１３３を有する。そして、第三外部情報取得部１４０３１、第三種類情報格納部２５０３２、第三光出力部２５０３３、第三パラメータ受信部１４０３４、第三光出力制御部２５０３５、第三送信元識別子格納部１３２、および第三外部情報送信部１３３は、各々第一外部情報取得部１４０１１、第一種類情報格納部２５０１２、第一光出力部２５０１３、第一パラメータ受信部１４０１４、第一光出力制御部２５０１５、第一送信元識別子格納部１１２、および第一外部情報送信部１１３と同様の機能を果たすので、説明は省略する。
【０１８１】
次に、第一光出力装置２５０１の動作について、図２６のフローチャートを用いて説明する。
【０１８２】
（ステップＳ２６０１）第一位置情報取得手段１４０１１２は、位置情報を取得する。
【０１８３】
（ステップＳ２６０２）第一圧力取得手段１４０１１１は、圧力情報の入力があったか否かを判断する。圧力情報の入力があれば、ステップＳ２６０３に行き、圧力情報の入力がなければステップＳ２６０４に飛ぶ
【０１８４】
（ステップＳ２６０３）第一圧力取得手段１４０１１１は、圧力情報を構成する。圧力情報の構成とは、１以上の圧力センサーの測定結果から送信する圧力情報を構成することを言う。「圧力情報を構成する」とは、例えば、圧力センサーが６つある場合に、６つのセンサーの測定値の平均をとる処理を言う。また、「圧力情報を構成する」とは、例えば、圧力センサーが６つある場合に、圧力を検知できたセンサーの数によって、情報処端末をどのように触ったかがわかり、その触った状態を推測して情報として生成するような処理がある。具体的には、５つのセンサーが０より大きな値を検知した場合は、使用者は情報処理装置をわし掴みしていると判断する。また、４つのセンサーから値を検知できた場合は、使用者は情報処理装置を普通に掴んでいる、と判断する。さらに、１つのセンサーのみ値を検知できた場合は、使用者は情報処理装置を指等で触っている（押している）だけである、と判断する。そして、第一圧力取得手段１４０１１１は、触り方（例えば、０より大きな値を示したセンサーの数が触り方を示す値である、とする。）と圧力の大きさ（例えば、「０より大きな値を示したセンサーの測定値の総和」／「０より大きな値を示したセンサーの数」を圧力の大きさとする。）の２つの情報を圧力情報として生成する、ことが考えられる。
【０１８５】
（ステップＳ２６０４）第一外部情報構成手段１４０１１３は、位置情報および／または圧力情報から外部情報を構成する。なお、この外部情報は、情報の種類を示す情報である種類情報と当該種類情報が示す情報の値である情報値の組を１組以上有する。
【０１８６】
（ステップＳ２６０５）第一外部情報送信部１１３は、送信元識別子格納部１１２から第一光出力装置１４０１を識別する送信元識別子を取得する。
【０１８７】
（ステップＳ２６０６）第一外部情報送信部１１３は、予め格納されている中継装置識別子を取得する。
【０１８８】
（ステップＳ２６０７）第一外部情報送信部１１３は、ステップＳ２６０４で構成した外部情報とステップＳ２６０５で取得した送信元識別子を中継装置識別子で識別される中継装置に送信する。
【０１８９】
（ステップＳ２６０８）第一パラメータ受信部１４０１４が、光制御パラメータを受信したか否かを判断する。光制御パラメータを受信すればステップＳ２６０９に行き、光制御パラメータを受信しなければステップＳ２６０８に戻る。
【０１９０】
（ステップＳ２６０９）カウンタｉに１を代入する。
【０１９１】
（ステップＳ２６１０）第一光出力制御部２５０１５は、ステップＳ２６０８で受信した光制御パラメータの中に、ｉ番目の種類情報の制御パラメータが存在するか否かを判断する。存在すればステップＳ２６１１に行き、存在しなければステップＳ２６１３に飛ぶ。
【０１９２】
（ステップＳ２６１１）第一光出力制御部２５０１５は、第一種類情報格納部２５０１２に格納されている光出力制御表を参照して、ｉ番目の種類情報の制御パラメータと一定の関係にある種類情報と対になる光出力手段識別子と光出力方法識別子を取り出す。そして、取り出した光出力手段識別子で識別される光出力手段に対して、取り出した光出力方法識別子で識別される光出力方法により、受信した光制御パラメータに含まれる値で光出力するように指示する。
【０１９３】
（ステップＳ２６１２）光出力部２５０１３の光出力手段は、ステップＳ２６１１の指示に従って光出力する。
【０１９４】
（ステップＳ２６１３）カウンタｉを１増加させる。
【０１９５】
なお、図２６のフローチャートでは、第一光出力装置２５０１は、光制御パラメータの受信を待っていたが、第一光出力装置２５０１から直接的または間接的に中継装置１１０２に光制御パラメータの送信を促しても良い。
【０１９６】
また、図２６のフローチャートでは、すべての制御パラメータを取り出した後に、無意味にカウンタｉをインクリメントして、光出力をし続けるフローであったが、すべての制御パラメータを取り出した後はカウンタｉのインクリメントはする必要はない。
【０１９７】
さらに、図２６のフローチャートでは触れなかったが、電源ＯＦＦなどの終了信号の割り込みによって、図２６の処理は終了する。
【０１９８】
以下、本実施の形態における情報処理システムの具体的な動作等を説明する。
【０１９９】
今、図２７に示すような光出力制御表が、第一種類情報格納部２５０１２に格納されている。光出力制御表は、上述したように、例えば、「光出力手段識別子」、「種類情報」、および「光出力方法識別子」を有する光出力制御レコードを複数有する。そして、図２８に示すような５種類の光出力制御方法識別子で識別される光制御方法に第一一光出力手段、第一二光出力手段は対応可能である、とする。この図２８のデータは、例えば予め第一種類情報格納部に格納されている、とする。そして、図２７の表の「光出力方法識別子」は、図２８に示す５種類の光出力制御方法識別子のうちから選択可能である。つまり、図２９に示すような「種類情報・光出力方法識別子の設定パネル」により、図２７の表の「光出力手段」「種類情報」、「光出力方法識別子」のカスタマイズが可能である。図２９は、第一二光出力手段の光出力方法識別子をカスタマイズするパネルとメニューの表示例を示す図である。
【０２００】
以上により、１以上の光出力手段毎に設定された「種類情報」「光出力方法識別子」と第一パラメータ受信部が受信したパラメータに基づいて光出力制御される。
【０２０１】
具体的には、例えば、図２０と図２１に示す外部情報が各々第一光出力装置と第二光出力装置から中継装置に送信されたとする。そして、中継装置で、図５と図２２の表に基づいて圧力情報の光制御パラメータと位置情報の光制御パラメータが決定される。従って、中継装置の光制御パラメータ決定部は、例えば、「＜圧力情報の光制御パラメータ＞５  ＜位置情報の光制御パラメータ＞１０」と決定する。そして、中継装置のパラメータ送信部は、光制御パラメータ決定部が決定した光制御パラメータを第一光出力装置と第二光出力装置に送信する。
【０２０２】
そして、図３０に示すように第一光出力装置と第二光出力装置は光出力する。
【０２０３】
なお、各光出力装置が、圧力情報の制御パラメータ「５」を受信した場合、制御パラメータ「５」に基づいて、各々の光出力手段が「点滅」により光出力制御される。具体的には、例えば、以下のように制御される。圧力情報の制御パラメータが大きいほど点滅の間隔が短く光を発生する。圧力情報がＸの値をとる場合、１０／Ｘの間隔で光出力のＯＮ／ＯＦＦを切り替える。
【０２０４】
また、各光出力装置が、位置情報の制御パラメータ「１０」を受信した場合、制御パラメータ「１０」に基づいて、各々の光出力手段が「光回転」により光出力制御される。具体的には、例えば、以下のように制御される。位置情報の制御パラメータが大きいほど光回転の速度が速い。つまり、例えば、光源の横にある反射鏡の回転盤の回転速度が位置情報の制御パラメータが大きいほど早い。
【０２０５】
以上、本実施の形態によれば、各光出力装置を持っている各人の複数の種類の情報から各光出力装置を光らせることにより、各人の複数の状況が他方の人に伝わり、多数の情報が人から人へのやわらかく伝わる通信システムを提供できる。また、各光出力装置が反応する種類情報（制御パラメータ）、光出力方法、光出力手段がカスタマイズ可能である。従って、各光出力装置の使用者は、例えば、その日の気分によって、種類情報（制御パラメータ）、光出力方法、光出力手段を変更できる。例えば、今日は相手と自分の距離（位置）を光出力で見たい、明日は相手と自分がキューブを握る強さを見たい、明後日は相手と自分の仕事の忙しさの差（この処理は、別の実施の形態で述べる）について知りたい、などの気持ちに、本実施の形態における光出力装置は応えることができる。
【０２０６】
なお、本実施の形態において、各光出力装置が受信する光制御パラメータが有する種類情報と各種類情報格納部に格納されている種類情報が一致する場合に光制御の対象としたが、両情報が一定の関係にあれば光出力制御の対象として良い。一定の関係とは、例えば
、種類情報がグループ化されており、光制御パラメータが有する種類情報と各種類情報格納部に格納されている種類情報が同一のグループに属する場合を言う。一定の関係とは、その他、種々考えられる。かかることは、他の実施の形態においても同様である。
【０２０７】
また、本実施の形態において、光出力制御表は光出力装置で管理されていたが、中継装置で管理しても良い。つまり、中継装置で保持している光出力制御表により、各光出力装置の１以上の光出力手段がどの情報（種類情報）に反応して、またはどのような光出力制御（例えば、光回転、光点滅など）を行うかが決められ、当該決められた光制御の方法が中継装置から光出力装置に送信され、光出力装置が受信した光制御の方法により、光出力しても良い。かかる構成であれば、光出力装置が簡易な構成となる。
【０２０８】
（実施の形態５）
【０２０９】
図３１は、本実施の形態における情報処理システムの概念図を示す。本情報処理システムは、第一光出力装置３１０１、中継装置１２、第二光出力装置３１０３、第一情報処理端末３１０４、および第二情報処理端末３１０５を具備する。
【０２１０】
第一情報処理端末３１０４および第二情報処理端末３１０５は、コンピュータで構成される。
【０２１１】
第一光出力装置３１０１および第二光出力装置３１０３は、各々第一情報処理端末３１０４および第二情報処理端末３１０５において、キーボードなどの入力手段のデータ入力の信号を検知して一定の時間にデータ入力された数を算出して、データ入力の速度の情報である入力速度情報を求める。そして、入力速度情報を有する外部情報を中継装置１２に送信する。
【０２１２】
図３２は、第一光出力装置３１０１、中継装置１２、第二光出力装置３１０３等を有する情報処理システムの構成を示すブロック図である。
【０２１３】
第一光出力装置３１０１は、第一外部情報取得部３１０１１、第一送信元識別子格納部１１２、第一外部情報送信部１１３、第一パラメータ受信部１１０１１、第一光出力制御部３１０１５、第一光出力部１１６を有する。
【０２１４】
第一外部情報取得部３１０１１は、第一入力信号受付手段３１０１１１、第一入力速度情報生成手段３１０１１２、第一外部情報構成手段３１０１１３を有する。
【０２１５】
第一入力信号受付手段３１０１１１は、入力信号を受け付ける。本実施の形態における入力信号は、第一情報処理端末３１０４において、キーボードなどのデータ入力手段によりデータを入力する信号である。第一情報処理端末３１０４が携帯電話の場合は、入力信号は携帯電話の入力キーを押下する信号である。第一入力信号受付手段３１０１１１は、例えば、第一情報処理端末３１０４に電気的に接続されたバスを有する電子回路と当該バス経由で送信された入力信号を取得するソフトウェアまたは専用回路で構成され得る。
【０２１６】
第一入力速度情報生成手段３１０１１２は、第一入力信号受付手段３１０１１１が受け付けた入力信号から入力速度情報を生成する。第一入力速度情報生成手段３１０１１２は、通常、ソフトウェアで実現され得るが、専用回路（ハードウェア）で実現しても良い。
【０２１７】
第一外部情報構成手段３１０１１３は、第一入力速度情報生成手段３１０１１２が生成した入力速度情報を有する外部情報を構成する。但し、外部情報と入力速度情報が同一のデータの場合もあり得る。かかる場合、第一外部情報構成手段３１０１１３は何もしない
、つまり「ｎｏｐ」である。
【０２１８】
第一光出力制御部３１０１５は、第一パラメータ受信部１１０１１が受信した光制御パラメータ群に従って、第一光出力部１１６に光出力するように指示する。この光制御パラメータ群は、以下の述べる１以上の光制御パラメータを言う。つまり、この光制御パラメータ群は、第一光出力装置３１０１と第二光出力装置３１０３から送信された１以上の外部情報の組から生成された情報であり、第一光出力装置３１０１と第二光出力装置３１０３の外部情報の関係の履歴を表す情報である。
【０２１９】
中継装置３２０２は、第二外部情報受信部１２１、送信管理情報格納部１２２、送信先識別子取得部１２３、光制御パラメータ決定部３２０２１、パラメータ送信部１１０２２、および外部情報記録部３２０２２を有する。
【０２２０】
外部情報記録部３２０２２は、第二外部情報受信部１２１が受信した外部情報群を記録する。外部情報群とは、本実施の形態においては、第一光出力装置３１０１の外部情報と第二光出力装置３１０３の外部情報の組からなる情報を言う。本実施の形態では、外部情報群の履歴情報を記録する。履歴情報とは、時系列で送信されてくる外部情報群の集合を言う。外部情報群の記録先は、図示しない記録媒体である。この記録媒体は、例えば、外部情報記録部２８０３１に存在する。この記録媒体は、ハードディスクや半導体メモリなどの不揮発性のメモリでも、揮発性メモリでも良い。外部情報記録部３２０２２は、通常、情報を記録するソフトウェアで実現されるが、専用回路（ハード）で実現しても良い。
【０２２１】
光制御パラメータ決定部３２０２１は、外部情報記録部３２０２２が記録した１組（第一光出力装置３１０１および第二光出力装置３１０３から各々送信される外部情報の組）以上の外部情報群または／および第二外部情報受信部１２１が受信する１組の外部情報群に基づいて、光制御パラメータ群を決定する。従って、光制御パラメータ決定部３２０２１は、受信した１以上の組の外部情報の履歴について視覚的に分かるように光出力するための制御パラメータである光制御パラメータ群を決定する。
【０２２２】
第二光出力装置３１０３は、第三外部情報取得部３１０３１、第三送信元識別子格納部１３２、第三外部情報送信部１３３、第三パラメータ受信部１１０３１、第三光出力制御部３１０３５、第三光出力部１３６を有する。そして、第三外部情報取得部３１０３１、第三送信元識別子格納部１３２、第三外部情報送信部１３３、第三パラメータ受信部１１０３１、第三光出力制御部３１０３５、第三光出力部１３６は、それぞれ第一外部情報取得部３１０１１、第一送信元識別子格納部１１２、第一外部情報送信部１１３、第一パラメータ受信部１１０１１、第一光出力制御部１１０１５、第一光出力部１１６と同一の機能を果たすので、ここでの説明は省略する。
【０２２３】
以下、本情報処理システムの動作についてフローチャートを用いて説明する。まず、第一光出力装置３１０１の動作を図３３のフローチャートを用いて説明する。
【０２２４】
（ステップＳ３３０１）図示しないタイマーを０に設定する。このタイマーは、第一光出力装置３１０１の種々の処理とは無関係にカウントアップされる。
【０２２５】
（ステップＳ３３０２）第一入力信号受付手段３１０１１１は、入力信号の受け付けがあったか否かを判断する。なお、入力信号があれば、図示しないキューに蓄積される。そして、第一入力信号受付手段３１０１１１は、このキューの中にデータが存在するか否かを定期的に見に行く。入力信号を受け付ければステップＳ３３０３に行き、受け付けがなければステップＳ３３０４に飛ぶ。
【０２２６】
（ステップＳ３３０３）第一入力信号受付手段３１０１１１は、一定期間にあった全ての入力信号を取得する。具体的には、第一入力信号受付手段３１０１１１は、キューの中のデータを全て取得し、キューを空にする。なお、第一入力信号受付手段３１０１１１は、キューの中のデータの数を算出するだけでも良い。
【０２２７】
（ステップＳ３３０５）第一入力速度情報生成手段３１０１１２は、ステップＳ３３０３で取得したデータまたはデータの数に基づいて入力速度情報を生成する。
【０２２８】
（ステップＳ３３０６）第一外部情報送信部１１３は、第一送信元識別子格納部１１２から送信元識別子を取得する。
【０２２９】
（ステップＳ３３０７）第一外部情報送信部１１３は、中継装置３２０２を識別する情報である中継装置識別子を取得する。中継装置識別子は、図示しない手段により予め格納されている、とする。中継装置識別子は、中継装置と通信をするための情報であり、例えば、中継装置のＩＰアドレス等である。
【０２３０】
（ステップＳ３３０８）第一外部情報送信部１１３は、外部情報と送信元識別子を中継装置識別子で識別される中継装置３２０２に送信する。
【０２３１】
（ステップＳ３３０９）別途カウントアップしているタイマーが一定の値（ｎ）になるまで待つ（つまり、ＷＡＩＴする。）。
【０２３２】
（ステップＳ３３１０）終了信号を受信したか否かを判断する。受信すれば終了し、受信しなければステップＳ３３１１に行く。
【０２３３】
（ステップＳ３３１１）第一パラメータ受信部１１０１１が、光制御パラメータ群を受信したか否かを判断する。光制御パラメータ群を受信すればステップＳ３３１２に行き、光制御パラメータ群を受信しなければステップＳ３３１１に戻る。
【０２３４】
（ステップＳ３３１２）第一光出力制御部３１０１５は、ステップＳ３３１１で受信した制御パラメータ群に基づいて第一光出力部１１６が光出力するように指示する。
【０２３５】
（ステップＳ３３１３）第一光出力部１１６は、第一光出力制御部３１０１５の指示に従って光出力する。
【０２３６】
なお、図３３のフローチャートによれば、外部情報の取得（ステップＳ３３０１からの処理）は、何らのトリガーもなく行われたが、第一光出力装置３１０１の使用者が開始ボタンを押下するなどのトリガーをかけてから、動作が開始されても良い。また、光出力装置２８０３や中継装置１２や他の装置からトリガーをかける信号を受信した場合に、ステップＳ３３０１からの外部情報の取得動作を開始しても良い。
【０２３７】
次に、中継装置３２０２の動作について、図３４のフローチャートを用いて説明する。
【０２３８】
（ステップＳ３４０１）第二外部情報受信部１２１は、第一光出力装置３１０１から外部情報と送信元識別子を受信したか否かを判断する。受信すればステップＳ３４０２に行き、受信しなければステップＳ３４０１に戻る。
【０２３９】
（ステップＳ３４０２）第二外部情報受信部１２１は、第二光出力装置３１０３から外部情報と送信元識別子を受信したか否かを判断する。受信すればステップＳ３４０３に行き、受信しなければステップＳ３４０２に戻る。
【０２４０】
（ステップＳ３４０３）外部情報記録部３２０２２は、第二外部情報受信部１２１が受信した２つの外部情報（外部情報群）を記録する。
【０２４１】
（ステップＳ３４０４）カウンタｉに１を代入する。
【０２４２】
（ステップＳ３４０５）光制御パラメータ決定部３２０２１は、ｉ番目の外部情報の組を、外部情報記録部３２０２２が記録した記録媒体から読み出す。
【０２４３】
（ステップＳ３４０６）光制御パラメータ決定部３２０２１は、ｉ番目の外部情報の組が存在するか否かを判断する。ｉ番目の外部情報の組が存在すればステップＳ３４０７に行き、存在しなければステップＳ３４１０に飛ぶ。
【０２４４】
（ステップＳ３４０７）光制御パラメータ決定部３２０２１は、ｉ番目の外部情報の組に基づいてｉ番目の光制御パラメータを決定する。
【０２４５】
（ステップＳ３４０８）光制御パラメータ決定部３２０２１は、ステップＳ３４０７で決定したｉ番目の光制御パラメータを一時格納（退避）する。
【０２４６】
（ステップＳ３４０９）ｉを１増加する。
【０２４７】
（ステップＳ３４１０）光制御パラメータ決定部３２０２１は、一時格納した全制御パラメータから送信する制御パラメータ群を構成する。
【０２４８】
（ステップＳ３４１１）パラメータ送信部１１０２２は、第一光出力装置３１０１にステップＳ３４１０で構成した制御パラメータ群を送信する。
【０２４９】
（ステップＳ３４１２）パラメータ送信部１１０２２は、第二光出力装置３１０３にステップＳ３４１０で構成した制御パラメータ群を送信する。ステップＳ３４０１に戻る。
【０２５０】
なお、図３１のフローチャートでは、中継装置３２０２は、外部情報の受信を待っていたが、中継装置３２０２から直接的または間接的に第一光出力装置３１０１と第二光出力装置３１０３に外部情報の送信を促しても良い。
【０２５１】
また、図３１のフローチャートでは、光制御パラメータ決定部３２０２１は、外部情報記録部が記録した１以上の外部情報の組に基づいて光制御パラメータ群を決定したが、外部情報記録部が記録した１組以上の外部情報および第二外部情報受信部が受信した外部情報に基づいて光制御パラメータ群を決定しても良い。つまり、外部情報記録部が外部情報を記録するタイミングは、光制御パラメータ群を送信する前でも後でも良い。
【０２５２】
以下、本実施の形態における情報処理システムの具体的な動作等を説明する。
【０２５３】
今、図３５に示すような外部情報の組の履歴（履歴情報）が、外部情報記録部によって記録されている。履歴情報は、２つの光出力装置から当該外部情報が送信された時刻と第一光出力装置からの外部情報と第二光出力装置からの外部情報を有するレコードからなる。なお、第一光出力装置からの外部情報と第二光出力装置からの外部情報は各光出力装置が取得した、各情報処理端末のキーボードから５分間の間に入力された文字の数である、とする。
【０２５４】
そして、光制御パラメータ決定部は、図３６に示した表に基づいて光制御パラメータを
決定する。つまり、第一光出力装置からの外部情報と第二光出力装置からの外部情報の差が２００以上である場合は、光制御パラメータは「０」となる。そして、同様に第一光出力装置からの外部情報と第二光出力装置からの外部情報の差が「０〜９」の場合は、光制御パラメータは「２０」となる。なお、ここでは、光制御パラメータの値は、各光出力装置の光出力部に与える電圧である、とする。
【０２５５】
かかる場合、図３５、図３６の情報によれば、時刻「９：００」の外部情報の差は「１」であるので、制御パラメータは「２０」であり、時刻「９：０５」の外部情報の差は「１０」であるので、制御パラメータは「１５」であり、時刻「９：１０」の外部情報の差は「４１０」であるので、制御パラメータは「０」である。
【０２５６】
従って、中継装置から各光出力装置に送信される光制御パラメータ群は、「２０、１５、０・・・・・・・」となる。
【０２５７】
この光制御パラメータを受け取った光出力装置は、例えば、図３７のように光出力する。つまり、時刻「９：００」の制御パラメータに対する反応が最左に現れ、時刻「９：０５」以降の制御パラメータに対する反応が順に右側にずれて現れる。
【０２５８】
この履歴情報に基づく光出力は、例えば、図３８に示すように立方体の光出力装置の６面に設置された液晶ディスプレイにより可能である。つまり、光出力装置の光出力部は、図３８に示すように６面のディスプレイ（例えば、液晶ディスプレイ）で構成されている。また、光出力装置の光出力部は、図３９に示すような構造でも良い。光出力部が６面のディスプレイで構成されている場合は、例えば、図３７のようなグラジュエーションで光の強さが視覚的にぼんやり表される。また、図３９に示す構造とは、立方体がある間隔で間仕切りがされており、各間においてＬＥＤが設置されている。そして、光出力制御部は、履歴情報に基づいて各間のＬＥＤの光の強さを制御する。具体的には、最左側のＬＥＤは、一番最近の外部情報に基づいて光の強さが決定され、光出力される。また、各間の仕切りにより、光は隣の間に漏れないようになっている。
【０２５９】
以上、本実施の形態によれば、情報処理端末の入力手段によりデータ入力される速度を示す情報が連続的に各光出力装置から中継装置に伝わり、中継装置で２つ以上の光出力装置から送信されたデータ入力速度に基づいた光制御パラメータを決定し、当該光制御パラメータに基づいて各光出力装置がぼんやりと光出力することにより、各光出力装置を使用する人々のお互いの仕事の状態をやわらかく伝えることができる。
【０２６０】
例えば、各情報処理端末を使用する人々が協調作業をする人であり、お互いが頑張って仕事をしている（データ入力をしている）場合に、光出力装置が強く光ることにより、協調作業をする人々が意欲的に仕事をすることができる。
【０２６１】
但し、上記は、本実施の形態における光出力装置の使用例であって、協調作業をする人々だけが本情報処理システムを利用するとは限らない。
【０２６２】
なお、本実施の形態において、入力速度の情報が連続的に伝わり、光出力したが、１つの入力速度情報の値に基づいて光出力しても良い。かかる場合、中継装置において、外部情報記録部がない構成となる。
【０２６３】
また、本実施の形態において、光出力装置がデータ入力の情報を入力速度情報に変換したが、かかる処理を中継装置で行っても良い。つまり、光出力装置はデータ入力の信号を取得し、かかる信号を中継装置に送信する。そして、中継装置が、複数のデータ入力信号を受信して、ある単位時間あたりの信号の数を算出して、入力速度情報に変えても良い。
かかる構成にすれば、光出力装置は、入力された信号をそのまま中継装置に送信するだけで良い。従って、光出力装置の構成が簡単になる、という効果がある。
【０２６４】
（実施の形態６）
【０２６５】
図４０は、本実施の形態における情報処理システムのブロック図を示す。本情報処理システムは、第一光出力装置４００１、中継装置１１０２、第二光出力装置４００３、第一情報処理端末３１０４、および第二情報処理端末３１０５を具備する。
【０２６６】
第一光出力装置４００１は、第一外部情報取得部４００１１、第一送信元識別子格納部１１２、第一外部情報送信部１１３、第一パラメータ受信部１１０１１、第一光出力制御部３１０１５、第一光出力部１１６を有する。
【０２６７】
第一外部情報取得部４００１１は、第一ＣＰＵ稼働率取得手段４００１１１、および第一外部情報構成手段４００１１２を有する。
【０２６８】
第一ＣＰＵ稼働率取得手段４００１１１は、第一情報処理端末３１０４のＣＰＵの稼働率を取得する。ＣＰＵ稼働率は、通常、０（％）から１００（％）までの数字で表される。ＣＰＵ稼働率を取得する技術は、既存のＯＳなどが有する既存の技術であるので、ここでの詳細な説明は省略する。第一ＣＰＵ稼働率取得手段４００１１１は、通常、ソフトウェアで実現され得るがハードウェアで実現しても良い。なお、情報処理端末３１０４はＣＰＵを有する電気機器を想定している。代表的な情報処理端末３１０４は、コンピュータである。但し、情報処理端末３１０４は電子レンジ、テレビ、携帯電話、ゲーム機など、各種電気機器が該当し得る。
【０２６９】
第一外部情報構成手段４００１１２は、第一ＣＰＵ稼働率取得手段４００１１１が取得したＣＰＵ稼働率から外部情報を構成する。第一外部情報構成手段４００１１２は、通常、ソフトウェアで実現され得るがハードウェアで実現しても良い。
【０２７０】
以下、本情報処理システムを構成する第一光出力装置４００１の動作を図４１のフローチャートを用いて説明する。
【０２７１】
（ステップＳ４１０１）外部情報の構成、送信の処理を開始するための開始信号を受け付けたか否かを第一外部情報取得部４００１１が判断する。開始信号を受け付ければステップＳ４１０２に行き、開始信号を受け付けていなければステップＳ４１０１に戻る。開始信号とは、使用者が開始ボタンを押下することにより発生しても良いし、外部（例えば、中継装置１１０２や他の装置）から送信されてきても良い。
【０２７２】
（ステップＳ４１０２）第一ＣＰＵ稼働率取得手段４００１１１は、第一情報処理端末３１０４のＣＰＵ稼働率を取得する。
【０２７３】
（ステップＳ４１０３）第一外部情報構成手段４００１１２は、ステップＳ４１０２で取得したＣＰＵ稼働率から外部情報を構成する。
【０２７４】
（ステップＳ４１０４）第一外部情報送信部１１３は、第一送信元識別子格納部１１２から送信元識別子を取得する。
【０２７５】
（ステップＳ４１０５）第一外部情報送信部１１３は、中継装置を識別する情報である中継装置識別子を取得する。中継装置識別子は、図示しない手段により予め格納されている、とする。
【０２７６】
（ステップＳ４１０６）第一外部情報送信部１１３は、外部情報と送信元識別子を中継装置識別子で識別される中継装置に送信する。
【０２７７】
（ステップＳ４１０７）終了信号を受信したか否かを判断する。受信すれば終了し、受信しなければステップＳ４１０８に行く。
【０２７８】
（ステップＳ４１０８）第一パラメータ受信部１１０１１が、光制御パラメータを受信したか否かを判断する。光制御パラメータを受信すればステップＳ４１０９に行き、光制御パラメータを受信しなければステップＳ４１０８に戻る。
【０２７９】
（ステップＳ４１０９）第一光出力制御部１１０１５は、ステップＳ４１０８で受信した制御パラメータに基づいて第一光出力部１１６が光出力するように指示する。
【０２８０】
（ステップＳ４１１０）第一光出力部１１６は、第一光出力制御部１１０１５の指示に従って光出力する。
【０２８１】
中継装置１１０２の動作については、既に説明済みである。
【０２８２】
また、第二光出力装置４００３の動作は、第一光出力装置４００１の動作と同様であるので、説明を省略する。
【０２８３】
以上、本実施の形態によれば、第一光出力装置のＣＰＵ稼働率と第二光出力装置のＣＰＵ稼働率に基づいて生成される光制御パラメータにより、各光出力装置が光出力することにより、第一情報処理端末を使用する人と第二情報処理端末を使用する人の擬似的な仕事の状態の関係（差や総和など何でも良い）が、各光出力装置を持っている人にやわらかく伝えることができる。このため、仕事の効率が上がったり、協同作業をする人のモチベーションが高まったりし得る。
【０２８４】
ＣＰＵ稼働率を取得するためのインターフェイスは、通常の情報処理装置（コンピュータ、ＯＳ）で公開されている。従って、実施の形態５で述べた、キーボード等の入力手段によりデータ入力する速度を取得するよりも簡易な構成で実現可能である。つまり、ＣＰＵ稼働率は擬似的な仕事の状態を示す情報であるが、簡易な構成で、第一情報処理端末を使用する人と第二情報処理端末を使用する人の擬似的な仕事の状態の関係（差や総和など何でも良い）をやわらかく伝えることができる。
【０２８５】
なお、本実施の形態において、一つのＣＰＵ稼働率の情報が光出力装置に伝わるごとに、光出力装置における光出力が変化する構成であったが、ＣＰＵ稼働率の情報が連続的に伝わり、その複数のＣＰＵ稼働率を示す情報（履歴情報）に基づいて光出力しても良い。つまり、実施の形態５の入力速度がＣＰＵ稼働率に変わっても良い。かかる場合の構成や処理の詳細は、実施の形態５で述べた。つまり、中継装置に外部情報記録部が必要である。
【０２８６】
また、本実施の形態において、光制御パラメータは中継装置が決定したが、実施の形態２で述べたように、中継装置は各光出力装置の外部情報を他方の光出力装置に送信するだけで、光制御パラメータの決定は各光出力装置が行っても良い。このことは、他の実施の形態においても当てはまる。
【０２８７】
（実施の形態７）
【０２８８】
図４２は、本実施の形態における情報処理システムのブロック図を示す。本情報処理システムは、第一光出力装置４２０１、中継装置４２０２、第二光出力装置４２０３を具備する。
【０２８９】
第一光出力装置４２０１は、第一外部情報取得部４２０１１、第一送信元識別子格納部１１２、第一外部情報送信部１１３、第一パラメータ受信部１１０１１、第一光出力制御部３１０１５、第一光出力部１１６を有する。
【０２９０】
第一外部情報取得部４２０１１は、第一場所情報取得手段４２０１１１、および第一外部情報構成手段４２０１１２を具備する。
【０２９１】
第一場所情報取得手段４２０１１１は、第一光出力装置４２０１が存在する場所に関する情報である場所情報を取得する。第一場所情報取得手段４２０１１１は、例えば、場所情報が記憶されたＦＲＩＤタグからの無線信号を受信する手段で実現される。但し、第一場所情報取得手段４２０１１１は、場所情報を取得できれば、他の手段でも良い。他の手段とは、例えば、Ｂｌｕｅｔｏｏｔｈを用いた無線通信により、場所情報を取得するための無線通信手段が考えられる。
【０２９２】
第一外部情報構成手段４２０１１２は、第一場所情報取得手段４２０１１１が取得した場所情報から外部情報を構成する。第一外部情報構成手段４２０１１２は、通常、ソフトウェアで実現され得るがハードウェアで実現しても良い。
【０２９３】
中継装置４２０２は、第二外部情報受信部１２１、送信管理情報格納部１２２、送信先識別子取得部１２３、光制御パラメータ決定部４２０２１、パラメータ送信部１１０２２、および地図情報格納部４２０２２を有する。
【０２９４】
地図情報格納部４２０２２は、地図に関する情報である地図情報を格納している。地図情報格納部４２０２２は、通常、ハードディスクや光ディスクなどの不揮発性の記録媒体により実現され得るが、揮発性の記録媒体を排除するものではない。
【０２９５】
光制御パラメータ決定部４２０２１は、第二外部情報受信部１２１が受信した２つの外部情報（場所情報）と、地図情報格納部４２０２２に格納されている地図情報に基づいて光制御パラメータを決定する。光制御パラメータの決定は、例えば、以下のアルゴリズムにより行う。光制御パラメータ決定部４２０２１は、第一光出力装置４２０１の場所情報と第二光出力装置４２０３の場所情報を地図情報格納部４２０２２に格納されている地図情報に照らして、第一光出力装置４２０１と第二光出力装置４２０３の距離を算出する。その距離の逆数のｎ倍（「ｎ／距離」）を光制御パラメータとする。光制御パラメータ決定部４２０２１は、通常、ソフトウェアで実現され得るが、ハードウェアで実現しても良い。
【０２９６】
第二光出力装置４２０３は、第一光出力装置４２０１と同様の構成であるので、各構成要素の説明を省略する。
【０２９７】
以下、本情報処理システムの動作について説明する。まず。第一光出力装置４２０１の動作について図４３のフローチャートを用いて説明する。
【０２９８】
（ステップＳ４３０１）第一場所情報取得手段４２０１１１が場所情報を含む信号を受け付けたか否かを判断する。信号を受け付ければステップＳ４３０２に行き、信号を受け付けなければステップＳ４３０７に飛ぶ。
【０２９９】
（ステップＳ４３０２）第一場所情報取得手段４２０１１１は、ステップＳ４３０１で受け付けた信号中から場所情報を取り出す。
【０３００】
（ステップＳ４３０３）第一外部情報構成手段４２０１１２は、ステップＳ４３０２で取得した場所情報から外部情報を構成する。
【０３０１】
（ステップＳ４３０４）第一外部情報送信部１１３は、第一送信元識別子格納部１１２から送信元識別子を取得する。
【０３０２】
（ステップＳ４３０５）第一外部情報送信部１１３は、中継装置を識別する情報である中継装置識別子を取得する。中継装置識別子は、図示しない手段により予め格納されている、とする。
【０３０３】
（ステップＳ４３０６）第一外部情報送信部１１３は、外部情報と送信元識別子を中継装置識別子で識別される中継装置に送信する。
【０３０４】
（ステップＳ４３０７）終了信号を受信したか否かを判断する。受信すれば終了し、受信しなければステップＳ４３０８に行く。
【０３０５】
（ステップＳ４３０８）第一パラメータ受信部１１０１１が、光制御パラメータを受信したか否かを判断する。光制御パラメータを受信すればステップＳ４３０９に行き、光制御パラメータを受信しなければステップＳ４３０８に戻る。
【０３０６】
（ステップＳ４３０９）第一光出力制御部３１０１５は、ステップＳ４３０８で受信した制御パラメータに基づいて第一光出力部１１６が光出力するように指示する。
【０３０７】
（ステップＳ４３１０）第一光出力部１１６は、第一光出力制御部３１０１５の指示に従って光出力する。
【０３０８】
次に、中継装置１１０２の動作について、図４４のフローチャートを用いて背説明する。
【０３０９】
（ステップＳ４４０１）第二外部情報受信部１２１は、第一光出力装置４２０１から外部情報と送信元識別子を受信したか否かを判断する。受信すればステップＳ４４０２に行き、受信しなければステップＳ４４０１に戻る。
【０３１０】
（ステップＳ４４０２）第二外部情報受信部１２１は、第二光出力装置４２０３から外部情報と送信元識別子を受信したか否かを判断する。受信すればステップＳ４４０３に行き、受信しなければステップＳ４４０２に戻る。
【０３１１】
（ステップＳ４４０３）送信先識別子取得部１２３は、ステップＳ４４０１で受信した送信元識別子と対になった送信先識別子を送信管理情報格納部から取得する。
【０３１２】
（ステップＳ４４０４）送信先識別子取得部１２３は、ステップＳ４４０２で受信した送信元識別子と対になった送信先識別子を送信管理情報格納部から取得する。
【０３１３】
（ステップＳ４４０５）光制御パラメータ決定部１１０２１は、地図情報格納部３２０２２から地図情報を読み出す。
【０３１４】
（ステップＳ４４０６）光制御パラメータ決定部１１０２１は、ステップＳ４４０５で
読み出した地図情報と、ステップＳ４４０１、ステップＳ４４０２で取得した外部情報に基づいて光制御パラメータを決定する。
【０３１５】
（ステップＳ４４０７）一方の相手先（ステップＳ４４０３で取得した送信先識別子が示す送信先）にステップＳ４４０６で決定した光制御パラメータを送信する。
【０３１６】
（ステップＳ４４０８）他方の相手先（ステップＳ４４０４で取得した送信先識別子が示す送信先）にステップＳ４４０６で決定した光制御パラメータを送信する。
【０３１７】
なお、図４４のフローチャートによれば、中継装置が光制御パラメータを送信するのは、外部情報の受信をトリガーとして行ったが、第二光出力装置４２０３または第一光出力装置４２０１からのアクセス要求があった場合に、光制御パラメータを送信しても良い。また、何のトリガーもなく中継装置が光制御パラメータを送信しても良い。
【０３１８】
以下、本実施の形態における情報処理システムの具体的な動作等を説明する。
【０３１９】
今、光出力装置がＲＦＩＤタグの情報を受信できる携帯電話であるとする。そして、ＡＢＣ電鉄のＸ路線を走る電車が駅に停車すると、電車内のＲＦＩＤタグに停車駅を識別する情報である駅識別子がホームに設置された情報処理装置（図示しない）から電車に送信される。そして、電車内のＲＦＩＤタグの情報を携帯電話が読み取る、とする。駅識別子とは、例えば「Ａ駅」という情報である。そして、図４５に示すように第一光出力装置を持った第一の人がＡ駅を出発してＢ駅に向かう電車の中にいる。また、第二光出力装置を持った第二の人がＦ駅を出発してＤ駅に向かう電車の中にいる。そして、それぞれの人が、Ｂ駅、Ｄ駅に到着したとする。かかる場合、図４６に示すような「ＡＢＣ電鉄のＸ路線の距離管理表」が中継装置の地図情報格納部に格納されている。距離管理表は、「駅識別子」と「最初の駅識別子からの距離」を有する情報が複数格納されている。
【０３２０】
かかる場合、外部情報に含まれる場所情報として「Ｂ駅」が第一光出力装置から中継装置に送信される。そして、「Ｄ駅」が第二光出力装置から中継装置に送信される。次に、中継装置の光制御パラメータ決定部は、図４６の表と受信した「Ｂ駅」、「Ｄ駅」の駅識別子に基づいて、第一光出力装置と第二光出力装置の距離を算出する。図４６の表によれば、両駅の距離は「５．１ｋｍ」である。そして、光制御パラメータ決定部は、この距離「５．１ｋｍ」を用いて光制御パラメータを決定する。今、光制御パラメータ決定部は、「１００／距離（但し、最大３０。距離が０の時も３０、とする。）」という算出式により光制御パラメータを決定するとする。すると、光制御パラメータは「１００／５．１＝約１９．６」となる。中継装置は、光制御パラメータ「１９．６」を第一光出力装置と第二光出力装置に送信する。
【０３２１】
そして、第一光出力装置と第二光出力装置は、受信した光制御パラメータ「１９．６」に基づいて光出力する。ここでは、光制御パラメータが電圧を表すとする。従って、光制御パラメータが大きいほど、第一光出力装置と第二光出力装置は、明るく輝くことになる。つまり、第一光出力装置の使用者と第二光出力装置の使用者が近くに接近するほど、明るく輝くことになる。
【０３２２】
また、その他の光制御でも良い。例えば、第一光出力装置と第二光出力装置が携帯電話の機能を有するとする。また、第一光出力装置と第二光出力装置は液晶ディスプレイを有しているとする。かかる場合、光制御パラメータが大きいほど液晶ディスプレイの背景色が暖色になり、光制御パラメータが小さいほど液晶ディスプレイの背景色が寒色になるとする。つまり、第一光出力装置と第二光出力装置が近づけば、深い青色から明かり赤色に変わる。
【０３２３】
以上、本実施の形態によれば、第一光出力装置の場所情報と第二光出力装置の場所情報に基づいて光制御パラメータが変化し、第一光出力装置の場所情報と第二光出力装置の場所情報の関係がそれぞれの装置に光でやわらかく出力される。
【０３２４】
なお、本実施の形態において、第一光出力装置と第二光出力装置の光出力部が有する光出力出段は１つであったが、２以上でも良い。２以上の場合の制御方法については、上述した実施の形態で詳細に述べた。
【０３２５】
また、本実施の形態において、場所情報から距離の情報を算出する処理を中継装置で行った。しかし、場所情報から距離の情報を算出する処理を各光出力装置で行っても良い。
【０３２６】
さらに、中継装置が２つ以上の光出力装置から複数の場所情報を受信することにより、２つ以上の光出力装置が近づいているか遠ざかっているかがわかる。この「近づいているか」または「遠ざかっているか」を識別し、光出力制御に利用しても良い。つまり、近づいているときは「暖色系」で光出力し、遠ざかっているときは「寒色系」で光出力する、などが考えられる。
【０３２７】
また、距離と状態変化（「近づいているか／遠ざかっているか」）の２つの情報に基づいて光出力制御しても良い。例えば、近づいて、距離が非常に近くなったときに「真赤」の光出力をし、近づいているが、距離がそれほど近くないときは「薄い赤」の光出力をし、遠ざかって、非常に距離が遠くなったときに「深い青」の光出力をし、遠ざかっているが距離が近い場合に「薄い青」の光出力をする、などが考えられる。
【０３２８】
（実施の形態８）
【０３２９】
図４８は、本実施の形態における情報処理システムのブロック図を示す。本情報処理システムは、第一光出力装置４８０１、中継装置１１０２、第二光出力装置４８０３を具備する。
【０３３０】
第一光出力装置４８０１は、第一外部情報取得部４８０１１、第一送信元識別子格納部１１２、第一外部情報送信部１１３、第一パラメータ受信部１１０１１、第一光出力制御部３１０１５、第一光出力部１１６を有する。
【０３３１】
第一外部情報取得部４８０１１は、第一心拍数情報取得手段４８０１１１、第一体温情報取得手段４８０１１２、第一血糖値情報取得手段４８０１１３、第一血圧情報取得手段４８０１１４、第一健康状態情報取得手段４８０１１５、および第一外部情報構成手段４８０１１６を有する。
【０３３２】
第一心拍数情報取得手段４８０１１１は、心拍数に関する情報である心拍数情報を取得する。第一体温情報取得手段４８０１１２は、体温に関する情報である体温情報を取得する。第一血糖値情報取得手段４８０１１３は、血糖値に関する情報である血糖値情報を取得する。第一血圧情報取得手段４８０１１４は、血圧に関する情報である血圧情報を取得する。以上の拍数情報、体温情報、血糖値情報および血圧情報を取得する装置は、例えば、松下電器産業（株）から発売されている電子健康チェッカーにより実現可能であり、上記情報を取得する技術は公知技術である。従って、拍数情報、体温情報、血糖値情報および血圧情報を取得する技術については、説明を省略する。
【０３３３】
第一健康状態情報取得手段４８０１１５は、第一心拍数情報取得手段４８０１１１、第一体温情報取得手段４８０１１２、第一血糖値情報取得手段４８０１１３、第一血圧情報
取得手段４８０１１４等が取得した情報の全部または一部に基づいて、健康状態を総合的に表す情報である健康状態情報を生成する。第一健康状態情報取得手段４８０１１５は、通常、ソフトウェアで実現するが、専用回路（ハードウェア）で実現しても良い。
【０３３４】
第一外部情報構成手段４８０１１６は、第一心拍数情報取得手段４８０１１１、第一体温情報取得手段４８０１１２、第一血糖値情報取得手段４８０１１３、第一血圧情報取得手段４８０１１４、第一健康状態情報取得手段４８０１１５が取得した情報の全部または一部に基づいて、中継装置１１０２に送信する外部情報を構成する。第一外部情報構成手段４８０１１６は、通常、ソフトウェアで実現するが、専用回路（ハードウェア）で実現しても良い。
【０３３５】
以下、第一光出力装置４８０１の動作について図４９のフローチャートを用いて説明する。
【０３３６】
（ステップＳ４９０１）第一外部情報取得部４８０１１は、外部情報の取得指示の入力があったか否かを判断する。指示入力があればステップＳ４９０２に行き、指示入力がなければステップＳ４９０１に戻る。
【０３３７】
（ステップＳ４９０２）第一心拍数情報取得手段４８０１１１は、心拍数情報を取得する。
【０３３８】
（ステップＳ４９０３）第一体温情報取得手段４８０１１２は、体温情報を取得する。
【０３３９】
（ステップＳ４９０４）第一血糖値情報取得手段４８０１１３は、血糖値情報を取得する。
【０３４０】
（ステップＳ４９０５）第一血圧情報取得手段４８０１１４は、血圧情報を取得する。
【０３４１】
（ステップＳ４９０６）第一健康状態情報取得手段４８０１１５は、ステップＳ４９０２からステップＳ４９０５で取得した情報に基づいて健康状態情報を生成する。
【０３４２】
（ステップＳ４９０７）第一外部情報構成手段４８０１１６は、ステップＳ４９０２からステップＳ４９０６で取得した情報に基づいて外部情報を構成する。
【０３４３】
（ステップＳ４９０８）第一外部情報送信部１１３は、第一送信元識別子格納部１１２から送信元識別子を取得する。
【０３４４】
（ステップＳ４９０９）第一外部情報送信部１１３は、中継装置を識別する情報である中継装置識別子を取得する。中継装置識別子は、図示しない手段により予め格納されている、とする。
【０３４５】
（ステップＳ４９１０）第一外部情報送信部１１３は、外部情報と送信元識別子を中継装置識別子で識別される中継装置に送信する。
【０３４６】
（ステップＳ４９１１）終了信号を受信したか否かを判断する。終了信号を受信すれば終了し、終了信号を受信しなければステップＳ４９１２に行く。
【０３４７】
（ステップＳ４９１２）第一パラメータ受信部１１０１１が、光制御パラメータを受信したか否かを判断する。光制御パラメータを受信すればステップＳ４９１３に行き、光制御パラメータを受信しなければステップＳ４９１２に戻る。
【０３４８】
（ステップＳ４９１３）第一光出力制御部３１０１５は、ステップＳ４９１２で受信した制御パラメータに基づいて第一光出力部１１６が光出力するように指示する。
【０３４９】
（ステップＳ４９１４）第一光出力部１１６は、第一光出力制御部３１０１５の指示に従って光出力する。
【０３５０】
なお、図４９のフローチャートによれば、外部情報の取得は、使用者の外部情報取得指示の入力に基づいて行われたが、何のトリガーもなく行われても良いし、外部の装置（中継装置１１０２や他の装置）からの命令送付をトリガーとしても良い。
【０３５１】
また、図４９のフローチャートでは、心拍数情報、体温情報、血糖値情報、血圧情報、および健康状態情報のすべてを送信したが、一部のみを外部情報として送信しても良い。
【０３５２】
中継装置１１０２の動作については、既に述べたので説明を省略する。また、中継装置１１０２は、第一光出力装置４８０１から送信される外部情報と、第二光出力装置４８０３に基づいて光制御パラメータを決定するが、当該外部情報とは、心拍数情報、体温情報、血糖値情報、血圧情報、および健康状態情報のうちの１つ以上の情報を指す。
【０３５３】
また、第二光出力装置４８０３は第一光出力装置４８０１と同様の構成（第三〜という構成要素と第一〜という構成要素は、同様の機能を果たす。このことは、他の実施の形態においても同様である。）であるので説明を省略する。
【０３５４】
以下、本情報処理システムの具体的な動作について説明する。本情報処理システムは、図５０に示すように、電子健康チェッカーとそれに接続された第一光出力装置、中継装置、電子健康チェッカーとそれに接続された第二光出力装置を有し、それぞれ通信手段または放送手段により、情報の送受信が可能である。また、第一および第二光出力装置は接続された電子健康チェッカーから血圧情報などの情報が取得できる、とする。
【０３５５】
電子健康チェッカーは上述したように、心拍数情報、体温情報、血糖値情報、血圧情報を取得できる。そして、健康状態情報取得手段には、図５１に示すような、心拍数等の値の範囲に対する点数が入っているとする。そして、健康状態情報取得手段は、前ステップで取得した心拍数情報、体温情報、血糖値情報、血圧情報の値に対応する点数を合計した値を健康状態情報とする。今、心拍数情報が「７８」、体温情報が「３６．５」、血糖値情報が「８０」、血圧情報が「上：１３３、下：７０」であった場合は、心拍数情報に対する点数は「１０」、体温情報に対する点数は「２５」、血糖値情報に対する点数は「２５」、血圧情報に対する点数は「２５」となり、合計「８５」となる。この合計「８５」が健康状態情報である。この数値は、１００点満点のうちのどれぐらい体全体として健康であるかを示す値である。
【０３５６】
そして、例えば、図５２に示すような第一の外部情報が第一光出力装置から中継装置に送信され、第二の外部情報が第二光出力装置から中継装置に送信された、とする。
【０３５７】
かかる場合、例えば、中継装置は以下のように、光制御パラメータを決定する。
【０３５８】
まず、第一に、中継装置は受信した外部情報のうちから心拍数情報にだけ反応するとする。そして、第一の外部情報と第二の外部情報に含まれる心拍数情報の値が近いほど、光制御パラメータの値を大きくする。つまり、両光出力装置から送信された心拍数情報が同じぐらいの数値であれば、両光出力装置の使用者が同じぐらいの興奮度であることが概ね言え、かかる場合に大きな明るい光を出力するものである。恋人が各光出力装置を持って
おり、お互いに同じぐらいの胸の高なりである場合に、明るく光出力装置が光る、というものである。
【０３５９】
第二に、中継装置は受信した外部情報のうちから血糖値情報と血圧情報に反応する、とする。そして、中継装置の光制御パラメータ決定部は、図５１の表を格納しており、この表に受信した２つの血糖値情報と血圧情報を照らし合わせる。そして、２つの血糖値情報が示す点数の低い方を制御パラメータとして採用する。また、２つの血圧情報が示す点数の低い方を制御パラメータとして採用する。そして、２つのパラメータを光制御パラメータとして各光出力装置に送信する。各光出力装置は、２つの光出力手段を保持しており（上述した別の実施形態の態様である）、２つの光出力手段が各々血糖値のパラメータと血圧のパラメータに反応して光出力する。かかる例の意義は、成人病をお互い持つ仲の良い友人が、お互いに成人病克服のための努力しており、お互いが改善の方向に行った場合のみ光出力装置が明るく輝く、などが考えられる。
【０３６０】
さらに、第三の例として、中継装置は受信した外部情報のうちから健康状態情報にのみ反応する、とする。そして、第一の外部情報と第二の外部情報に含まれる健康状態情報の値の少ない方が光制御パラメータとなる。つまり、両光出力装置を使用している人が両方とも健康である、つまり２つの健康状態情報が高い値を示さなければ、高い値の光制御パラメータにならない。つまり、光制御パラメータが光出力装置にかける電圧に比例する場合、光制御パラメータが高いと光出力装置が明るく輝く。よって、例えば、２人以上のグループ全員の健康状態を集めて中継装置が光制御パラメータを決定する、とする。すると、最低の健康状態情報が光制御パラメータとして採用される。そして、光制御パラメータに従って、各光出力装置が光る。つまり、グループで作業を行う場合に、全員の健康状態が良くなければ良いグループ作業ができないが、グループ全体の状態を何となく光出力で分かる仕組みを構築できる。
【０３６１】
なお、図５２は、外部情報をタグ付きの情報で表したが、外部情報のデータ形式、データ構造は問わない。
【０３６２】
また、光出力の態様は、明るさを変化させる態様を中心に述べたが、上記の実施の形態で述べた５種類の形態が考えられる。但し、やわらかく光で状態を知らせる態様であれば、他の態様でも良いのは言うまでもない。
【０３６３】
以上、本実施の形態によれば、体の健康状態に関する情報が２以上の光出力装置から中継装置に伝わり、中継装置で決定した光制御パラメータに基づいて各光出力装置は光出力した。
【０３６４】
本実施の形態の具体的な使用例を説明する。例えば、両光出力装置は、恋人同士がそれぞれ持っている。かかる場合、恋人の一方が、第一光出力装置を握り、その体温が中継装置に伝わる。そして、恋人の他方が第二光出力装置を握り、その体温が中継装置に伝わる。そして、お互いが強く熱く握った場合に、高い値の光制御パラメータが中継装置により算出され、そのパラメータに対応した光が出力され、お互いの気持ちが恋人に伝わることとなる。
【０３６５】
なお、本実施の形態において、情報処理端末の形状は、図５０によれば既存の電子健康チェッカーの形状であるが、キューブ形（立方体）等、形状は問わない。キューブ形であれば、握ることが可能で、握ったことにより、「心拍数情報」「体温情報」等が伝われば、さらに利用価値が高い。つまり、キューブ形の光出力装置を強く握ると、握った人の心の高ぶり（心拍数情報）やその人の暖かさ（体温情報）が中継装置に伝わり、中継装置によって決定された光制御パラメータに対応した光が、各光出力装置で出力される。
【０３６６】
さらに、本実施の形態において、心拍数情報、体温情報、血糖値情報、血圧情報、健康状態情報を送受信したが、そのうち１つ以上の情報を送受信すれば良い。また、他に体脂肪率などの人体や動物等に関して測定可能な情報を送受信しても良い。
【０３６７】
（実施の形態９）
【０３６８】
図５３は、本実施の形態における情報処理システムのブロック図を示す。本情報処理システムは、第一光出力装置５３０１、中継装置１１０２、第二光出力装置５３０３を具備する。
【０３６９】
第一光出力装置５３０１は、第一外部情報取得部５３０１１、第一送信元識別子格納部１１２、第一外部情報送信部１１３、第一パラメータ受信部１１０１１、第一光出力制御部３１０１５、第一光出力部１１６を有する。
【０３７０】
第一外部情報取得部５３０１１は、第一ＰＨ値取得手段５３０１１１、および第一外部情報構成手段５３０１１２を具備する。
【０３７１】
第一ＰＨ値取得手段５３０１１１は、第一光出力装置５３０１のＰＨ値を測定する。第一ＰＨ値取得手段５３０１１１は、既存技術により構成され得るので、詳細は説明しない。
【０３７２】
外部情報構成手段５３０１１２は、ＰＨ値取得手段５３０１１１が計測したＰＨ値に基づいて外部情報を構成する。
【０３７３】
以下、第一光出力装置５３０１の動作について図５４のフローチャートを用いて説明する。
【０３７４】
（ステップＳ５４０１）第一ＰＨ値取得手段５３０１１１は、第一光出力装置のＰＨ値を取得する。
【０３７５】
（ステップＳ５４０２）第一外部情報構成手段５３０１１２に予め格納されているＰＨ値（ここでは、便宜上「通常のＰＨ値」とも言う。）を読み出す。
【０３７６】
（ステップＳ５４０３）ステップＳ５４０１で取得したＰＨ値と、ステップＳ５４０２で読み出したＰＨ値の差が一定以上であるか否かを判断する。一定以上であれば、ステップＳ５４０４に行き、一定以上でなければステップＳ５４０１に戻る。
【０３７７】
（ステップＳ５４０４）第一外部情報構成手段５３０１１２は、ステップＳ５４０１で取得したＰＨ値に基づいて外部情報を構成する。
【０３７８】
（ステップＳ５４０５）第一外部情報送信部１１３は、第一送信元識別子格納部１１２から送信元識別子を取得する。
【０３７９】
（ステップＳ５４０６）第一外部情報送信部１１３は、中継装置を識別する情報である中継装置識別子を取得する。中継装置識別子は、図示しない手段により予め格納されている、とする。
【０３８０】
（ステップＳ５４０７）第一外部情報送信部１１３は、外部情報と送信元識別子を中継装置識別子で識別される中継装置に送信する。
【０３８１】
（ステップＳ５４０８）終了信号を受信したか否かを判断する。受信すれば終了し、受信しなければステップＳ５４０９に行く。
【０３８２】
（ステップＳ５４０９）一定時間待つ（ＷＡＩＴする）。ステップＳ５４１０に行く。
【０３８３】
（ステップＳ５４１０）第一パラメータ受信部１１０１１が、光制御パラメータを受信したか否かを判断する。光制御パラメータを受信すればステップＳ５４１１に行き、光制御パラメータを受信しなければステップＳ５４１０に戻る。
【０３８４】
（ステップＳ５４１１）第一光出力制御部３１０１５は、ステップＳ５４１０で受信した制御パラメータに基づいて第一光出力部１１６が光出力するように指示する。
【０３８５】
（ステップＳ５４１２）第一光出力部１１６は、第一光出力制御部３１０１５の指示に従って光出力する。
【０３８６】
なお、図５４のフローチャートによれば、ＰＨ値の取得は、何らのトリガーもなく行われたが、第一光出力装置５３０１の使用者が開始ボタンを押下するなどのトリガーをかけてから、動作が開始されても良い。また、第二光出力装置５３０３や中継装置１１０２や他の装置からトリガーをかける信号を受信した場合に、ステップＳ５４０１のＰＨ値の取得動作を開始しても良い。第二光出力装置５３０３から第一光出力装置５３０１にトリガーをかける場合とは、第二光出力装置５３０３のＰＨ値が変わった場合に、第一光出力装置５３０１にＰＨ値を取得する動作を行うように指示する、ということがあげられる。
【０３８７】
また、図５４のフローチャートによれば、取得したＰＨ値が通常のＰＨ値と比較して一定以上の差がある場合に、ＰＨ値を中継装置に送信したが、取得したＰＨ値を無条件で中継装置に送信しても良い。
【０３８８】
なお、中継装置の動作は既に説明した。また、第二光出力装置５３０３の動作は第一光出力装置５３０１の動作と同様であるので、説明を省略する。
【０３８９】
以下、本実施の形態における情報処理システムの具体的な動作等を説明する。本情報処理システムの各光出力装置は、上述のようにＰＨ値を測定できる構成になっている。そして、この情報処理端末を舐めた場合には、通常、ＰＨ値が大きく変化する、と考えられる。この舐めた行為が、光出力装置から中継装置に伝わる。そして、２つの光出力装置の両方または片方から装置が舐められた、という情報（ＰＨ値で良い）が中継装置に送信されれば、中継装置は光制御パラメータを生成して、各光出力装置が光出力する。
【０３９０】
具体的には、図５５の表により、中継装置は光制御パラメータを決定する。つまり、第一光出力装置と第二光出力装置の両方から舐められた（あるＰＨ値かもしれない）という情報が中継装置に送信された（図５５の「○」「○」が該当する。）場合には、光制御パラメータは「５」に決定される。つまり、図５５の表の最下位のレコードが該当する。また、第一光出力装置と第二光出力装置の片方から舐められた（あるＰＨ値かもしれない）という情報が中継装置に送信された（図５５の「○」「×」または「×」「○」が該当する。）場合には、光制御パラメータは「１」に決定される。つまり、図５５の表の下から２番目の下から３番目のレコードが該当する。そして、片方しか舐めていない場合は、光制御パラメータ「１」で光出力される。つまり、光制御パラメータが光の明るさを示す指標の場合は、暗くばんやり光る。そして、両方の光出力装置が舐められた場合は、光制御パラメータ「５」で光出力される。つまり、両方の光出力装置は、かなり明るく光る。
【０３９１】
以上、本実施の形態によれば、各光出力装置から中継装置にＰＨ値（舐めたことを示す情報）を含む外部情報を送ることにより、各光出力装置の使用者が各光出力装置を舐めたこと、およびその際の２以上のＰＨ値をパラメータとして光制御パラメータが決定され、当該光制御パラメータに基づいて各光出力装置が光を出力する。これを特定の相手間で行えば、舐めるという愛情表現がやわらかく光により伝わる、ということになる。
【０３９２】
（実施の形態１０）
【０３９３】
図５６は、本実施の形態における情報処理システムのブロック図を示す。本情報処理システムは、第一光出力装置５６０１、中継装置１１０２、第二光出力装置５６０３を具備する。
【０３９４】
第一光出力装置５６０１は、第一外部情報取得部５６０１１、第一送信元識別子格納部１１２、第一外部情報送信部１１３、第一パラメータ受信部１１０１１、第一光出力制御部３１０１５、第一光出力部１１６を有する。
【０３９５】
第一外部情報取得部５６０１１は、第一角度情報取得手段５６０１１１、および第一外部情報構成手段５６０１１２を具備する。
【０３９６】
第一角度情報取得手段５６０１１１は、第一光出力装置５６０１の角度（傾き）に関する情報である角度情報を取得する。角度情報とは、例えば、角度、角度変化量または角速度などが含まれる。第一角度情報取得手段５６０１１１は、例えば、ジャイロや傾斜計等により実現され得る。ジャイロや傾斜計は従来技術であるので、ここでの詳細な説明は省略する。なお、第一角度情報取得手段５６０１１１に用いるジャイロは、機械式ジャイロでも、光ファイバ・ジャイロでも良い。
【０３９７】
第一外部情報構成手段５６０１１２は、第一角度情報取得手段５６０１１１が取得した角度情報に基づいて外部情報を構成する。
【０３９８】
以下、第一光出力装置５６０１の動作について図５７のフローチャートを用いて説明する。
【０３９９】
（ステップＳ５７０１）第一角度情報取得手段５６０１１１は、角度変化を検出したか否かを判断する。角度変化を検出すればステップＳ５７０２に行き、検出しなければステップＳ５７０１に戻る。
【０４００】
（ステップＳ５７０２）第一角度情報取得手段５６０１１１は、角度情報を取得する。
【０４０１】
（ステップＳ５７０３）第一外部情報構成手段５６０１１２は、ステップＳ５７０２で取得した角度情報に基づいて外部情報を構成する。
【０４０２】
（ステップＳ５７０４）第一外部情報送信部１１３は、第一送信元識別子格納部１１２から送信元識別子を取得する。
【０４０３】
（ステップＳ５７０５）第一外部情報送信部１１３は、中継装置を識別する情報である中継装置識別子を取得する。中継装置識別子は、図示しない手段により予め格納されている、とする。
【０４０４】
（ステップＳ５７０６）第一外部情報送信部１１３は、外部情報と送信元識別子を中継装置識別子で識別される中継装置に送信する。
【０４０５】
（ステップＳ５７０７）終了信号を受信したか否かを判断する。受信すれば終了し、受信しなければステップＳ５７０８に行く。
【０４０６】
（ステップＳ５７０８）第一パラメータ受信部１１０１１が、光制御パラメータを受信したか否かを判断する。光制御パラメータを受信すればステップＳ５７０９に行き、光制御パラメータを受信しなければステップＳ５７０８に戻る。
【０４０７】
（ステップＳ５７０９）第一光出力制御部１１０１５は、ステップＳ５７０８で受信した制御パラメータに基づいて第一光出力部１１６が光出力するように指示する。
【０４０８】
（ステップＳ５７１０）第一光出力部１１６は、第一光出力制御部１１０１５の指示に従って光出力する。ステップＳ５７０１に戻る。
【０４０９】
なお、図５７のフローチャートによれば、角度変化の検出をトリガーに角度情報を取得したが、何らのトリガーもなく角度情報を取得して光出力装置に送信しても良い。また、第二光出力装置５６０３や中継装置１１０２や他の装置からトリガーをかける信号を受信した場合に、角度情報を取得して光出力装置に送信しても良い。
【０４１０】
中継装置１１０２の動作については、既に説明済みである。また、第二光出力装置５６０３の動作は、第一光出力装置５６０１の動作と同様であるので、説明を省略する。
【０４１１】
以下、本実施の形態における情報処理システムの具体的な動作等を説明する。本情報処理システムの第一光出力装置および第二光出力装置は、キューブ形（立方体）の形状を有している。そして、第一光出力装置または／および第二光出力装置の使用者が、キューブを持って振ったとする（図５８参照）。かかる場合、第一光出力装置または／および第二光出力装置を振ることによる両装置の角度変化量が検出され、その角度変化量が外部情報を構成して、当該外部情報は中継装置まで伝えられる。そして、例えば、中継装置では、第一光出力装置および第二光出力装置の角度変化量の和を光制御パラメータとして決定し、第一光出力装置および第二光出力装置に当該光制御パラメータを送信する。そして、第一光出力装置および第二光出力装置は光制御パラメータに従った光出力を行う。具体的には、光制御パラメータは光の強さを示し、光制御パラメータが大きい値を示すほど光出力装置は明るく輝く。つまり、第一光出力装置および第二光出力装置の使用者が第一光出力装置および第二光出力装置を激しく振れば振るほど、第一光出力装置および第二光出力装置は明るく光ることとなる。
【０４１２】
以上、本実施の形態によれば、２以上の光出力装置を振った場合に、その動作の度合いが中継装置に送信され、２以上の光出力装置を振る動作の激しさがやわらかく光で出力される。つまり、例えば、恋人の一方が第一光出力装置を保持し、他方が第二光出力装置を保持しているとする。かかる場合、恋人の両方が各光出力装置を激しく振ることで、他方の恋人に会いたい気持ちを伝える、という使い方がある。お互いが激しく振れば、光出力装置は明るく輝くこととなる。そして、お互いが、恋人は自分に会いたがっている、ということをやわらかく知ることができる。
【０４１３】
（実施の形態１１）
【０４１４】
図５９は、本実施の形態における情報処理システムのブロック図を示す。本情報処理システムは、第一光出力装置５９０１、中継装置１１０２、第二光出力装置５９０３を具備する。
【０４１５】
第一光出力装置５９０１は、第一外部情報取得部５９０１１、第一送信元識別子格納部１１２、第一外部情報送信部１１３、第一パラメータ受信部１１０１１、第一光出力制御部３１０１５、第一光出力部１１６を有する。
【０４１６】
第一外部情報取得部５９０１１は、第一回転情報取得手段５９０１１１、および第一外部情報構成手段５９０１１２を具備する。
【０４１７】
第一回転情報取得手段５９０１１１は、例えば、第一光出力装置５９０１に設置された風車等の回転に関する情報である回転情報を取得する。回転情報とは、回転速度、回転数などが含まれる。なお、回転速度や回転数を検知する技術は公知技術であるので、ここでの詳細な説明は省略する。
【０４１８】
外部情報構成手段５９０１１２は、第一回転情報取得手段５９０１１１が取得した回転情報に基づいて外部情報を構成する。外部情報構成手段５３０１１２は、通常、ソフトウェアで実現され得るが、専用回路（ハードウェア）で実現しても良い。
【０４１９】
以下、第一光出力装置５９０１の動作について図６０のフローチャートを用いて説明する。
【０４２０】
（ステップＳ６００１）第一回転情報取得手段５９０１１１は、回転を検出したか否かを判断する。回転を検出すればステップＳ６００２に行き、検出しなければステップＳ６００１に戻る。
【０４２１】
（ステップＳ６００２）第一回転情報取得手段５９０１１１は、回転情報を取得する。
【０４２２】
（ステップＳ６００３）第一外部情報構成手段５９０１１２は、ステップＳ６００２で取得した回転情報に基づいて外部情報を構成する。
【０４２３】
（ステップＳ６００４）第一外部情報送信部１１３は、第一送信元識別子格納部１１２から送信元識別子を取得する。
【０４２４】
（ステップＳ６００５）第一外部情報送信部１１３は、中継装置を識別する情報である中継装置識別子を取得する。中継装置識別子は、図示しない手段により予め格納されている、とする。
【０４２５】
（ステップＳ６００６）第一外部情報送信部１１３は、外部情報と送信元識別子を中継装置識別子で識別される中継装置に送信する。
【０４２６】
（ステップＳ６００７）終了信号を受信したか否かを判断する。受信すれば終了し、受信しなければステップＳ６００８に戻る。
【０４２７】
（ステップＳ６００８）第一パラメータ受信部１１０１１が、光制御パラメータを受信したか否かを判断する。光制御パラメータを受信すればステップＳ６００９に行き、光制御パラメータを受信しなければステップＳ６００８に戻る。
【０４２８】
（ステップＳ６００９）第一光出力制御部１１０１５は、ステップＳ６００８で受信した制御パラメータに基づいて第一光出力部１１６が光出力するように指示する。
【０４２９】
（ステップＳ６０１０）第一光出力部１１６は、第一光出力制御部１１０１５の指示に従って光出力する。
【０４３０】
なお、図６０のフローチャートによれば、回転の検出をトリガーに回転情報を取得したが、何らのトリガーもなく回転情報（０の値である場合も含めて）を取得して光出力装置に送信しても良い。また、第二光出力装置５９０３や中継装置１１０２や他の装置からトリガーをかける信号を受信した場合に、回転情報を取得して光出力装置に送信しても良い。
【０４３１】
以下、本実施の形態における情報処理システムの具体的な動作等を説明する。本情報処理システムの第一光出力装置５９０１、第二光出力装置５９０３は、例えば図６１に示すように、キューブ形（立方体）の形状であり、風車が電気的に接続されている。そして、風車が風を受けて回転する時に回転速度を検出する仕組みが、各光出力装置に設置されている、とする。そして、回転速度に関する情報である回転情報が各光出力装置から中継装置に送信される。次に、中継装置は、両光出力装置から送信される回転情報に基づいて光制御パラメータを決定し、当該光制御パラメータを両光出力装置に送信する。そして、両光出力装置はやわらかく光を出力する。
【０４３２】
以上、本実施の形態によれば、光出力装置が風を受けた場合に、風車が回転し、その回転速度や回転数（回転情報）がやわらかく中継装置に伝わり、中継装置が光制御パラメータを光出力装置に送信する。そして、光出力装置が光る。例えば、二人の特定の人がそれぞれ光出力装置を持っており、両者が自分の光出力装置についている風車に息を吹きかけた、とする。これは、相手に会いたい気持ちを、風車に息を吹きかける行為としたものである。そして、お互いが強く光出力装置に息を吹きかけるほど光出力装置は明るく強く輝くこととなる。そして、両者が風車に強い息を吹きかけることにより、相手に会いたがっている気持ちがそれとなく、やわらかく伝わる。
【０４３３】
（実施の形態１２）
【０４３４】
図６２は、本実施の形態における情報処理システムのブロック図を示す。本情報処理システムは、第一光出力装置６２０１、中継装置１１０２、第二光出力装置６２０３を具備する。
【０４３５】
第一光出力装置６２０１は、第一外部情報取得部６２０１１、第一送信元識別子格納部１１２、第一外部情報送信部１１３、第一パラメータ受信部１１０１１、第一光出力制御部３１０１５、第一光出力部１１６を有する。
【０４３６】
第一外部情報取得部６２０１１は、第一脳波情報取得手段６２０１１１、および第一外部情報構成手段６２０１１２を具備する。
【０４３７】
第一脳波情報取得手段６２０１１１は、脳波を測定し、脳波情報を得る。脳波を測定する技術は公知技術であるので、ここでの詳細な説明は省略する。
【０４３８】
第一外部情報構成手段６２０１１２は、第一脳波情報取得手段６２０１１１が取得した脳波情報に基づいて外部情報を構成する。第一外部情報構成手段６２０１１２は、通常、ソフトウェアで実現され得るが、専用回路（ハードウェア）で実現しても良い。
【０４３９】
以下、第一光出力装置６２０１の動作について図６３のフローチャートを用いて説明する。
【０４４０】
（ステップＳ６３０１）第一脳波情報取得手段６２０１１１は、脳波測定開始の指示があったか否かを判断する。指示があればステップＳ６３０２に行き、指示がなければステ
ップＳ６３０１に戻る。
【０４４１】
（ステップＳ６３０２）第一外部情報構成手段６２０１１２は、脳波情報を取得する。
【０４４２】
（ステップＳ６３０３）第一外部情報構成手段６２０１１２は、ステップＳ６３０２で取得した脳波情報に基づいて外部情報を構成する。
【０４４３】
（ステップＳ６３０４）第一外部情報送信部１１３は、第一送信元識別子格納部１１２から送信元識別子を取得する。
【０４４４】
（ステップＳ６３０５）第一外部情報送信部１１３は、中継装置を識別する情報である中継装置識別子を取得する。中継装置識別子は、図示しない手段により予め格納されている、とする。
【０４４５】
（ステップＳ６３０６）第一外部情報送信部１１３は、外部情報と送信元識別子を中継装置識別子で識別される中継装置に送信する。
【０４４６】
（ステップＳ６３０７）終了信号を受信したか否かを判断する。受信すれば終了し、受信しなければステップＳ６３０８に行く。
【０４４７】
（ステップＳ６３０８）第一パラメータ受信部１１０１１が、光制御パラメータを受信したか否かを判断する。光制御パラメータを受信すればステップＳ６３０９に行き、光制御パラメータを受信しなければステップＳ６３０８に戻る。
【０４４８】
（ステップＳ６３０９）第一光出力制御部１１０１５は、ステップＳ６３０８で受信した制御パラメータに基づいて第一光出力部１１６が光出力するように指示する。
【０４４９】
（ステップＳ６３１０）第一光出力部１１６は、第一光出力制御部１１０１５の指示に従って光出力する。ステップＳ６３０２に戻る。
【０４５０】
なお、図６３のフローチャートによれば、脳波の測定を測定開始指示により開始したが、何らのトリガーもなく脳波情報を取得して光出力装置に送信しても良い。また、第二光出力装置６２０３や中継装置１１０２や他の装置からトリガーをかける信号を受信した場合に、脳波情報を取得して光出力装置に送信しても良い。
【０４５１】
中継装置１１０２の動作については、既に説明済みである。また、第二光出力装置６２０３の動作は、第一光出力装置６２０１の動作と同様であるので、説明を省略する。
【０４５２】
以上、本実施の形態によれば、複数人の脳波の測定値が中継装置に伝わり、中継装置で複数人の脳波情報に基づいて光制御パラメータを決定する。そして、この光制御パラメータに基づいて各光出力装置が光る。
【０４５３】
例えば、多数の人数の脳波情報が中継装置に伝わり、各脳波情報から各人がα波を多く出しているのか、β波を多く出しているのかが分かる。中継装置はストレスを感じている人が多ければ多いほど高い値の光制御パラメータを算出する、とする。つまり、例えば、職場の全員が本光出力装置を持っていると、ストレスの多い職場というのは、光出力装置が強く光る、ということになり職場環境改善に役立つ。但し、利用方法は上記に限られず、他の利用方法でも良い。
【産業上の利用可能性】
【０４５４】
以上のように、本発明にかかる情報処理システムは、複数人の間のコミュニケーションが自然に、しかも適切に行われる、という効果を有し、コミュニケーションシステム等として有用である。
【図面の簡単な説明】
【０４５５】
【図１】実施の形態１における情報処理システムのブロック図
【図２】実施の形態１における光出力装置の動作を説明するフローチャート
【図３】実施の形態１における中継装置の動作を説明するフローチャート
【図４】実施の形態１における光出力装置の外観を示す図
【図５】実施の形態１における光出力制御手段が保持する表を示す図
【図６】実施の形態１における情報処理システムの概念図
【図７】実施の形態１における光出力の例を示す図
【図８】実施の形態１における光出力制御の情報の例を示す図
【図９】実施の形態１における光出力の例を示す図
【図１０】実施の形態１における光出力の例を示す図
【図１１】実施の形態２における情報処理システムのブロック図
【図１２】実施の形態２における光出力装置の動作を説明するフローチャート
【図１３】実施の形態２における中継装置の動作を説明するフローチャート
【図１４】実施の形態３における情報処理システムのブロック図
【図１５】実施の形態３における光出力装置の動作を説明するフローチャート
【図１６】実施の形態３における情報処理システムの概念を示す図
【図１７】実施の形態３における圧力情報の構造の例を示す図
【図１８】実施の形態３における圧力情報の例を示す図
【図１９】実施の形態３における位置情報の例を示す図
【図２０】実施の形態３における外部情報の例を示す図
【図２１】実施の形態３における外部情報の例を示す図
【図２２】実施の形態３における光制御パラメータを決定するための表を示す図
【図２３】実施の形態３における光出力装置の外観を示した図
【図２４】実施の形態３における光出力装置が光っている様子を示す図
【図２５】実施の形態４における情報処理システムのブロック図
【図２６】実施の形態４における光出力装置の動作を説明するフローチャート
【図２７】実施の形態４における光出力制御表を示す図
【図２８】実施の形態４における光出力制御方法識別子を選択するメニューを構成するデータを示す図
【図２９】実施の形態４における種類情報・光出力方法識別子の設定パネルを示す図
【図３０】実施の形態４における情報処理システムの概念図
【図３１】実施の形態５における情報処理システムの概念図
【図３２】実施の形態５における情報処理システムのブロック図
【図３３】実施の形態５における光出力装置の動作を説明するフローチャート
【図３４】実施の形態５における中継装置の動作を説明するフローチャート
【図３５】実施の形態５における履歴情報の例を示す図
【図３６】実施の形態５における光制御パラメータを決定するための表を示す図
【図３７】実施の形態５における光出力装置が光出力する様子を示す図
【図３８】実施の形態５における光出力装置の構造の例を示す図
【図３９】実施の形態５における光出力装置の構造の例を示す図
【図４０】実施の形態６における情報処理システムのブロック図
【図４１】実施の形態６における光出力装置の動作を説明するフローチャート
【図４２】実施の形態７における情報処理システムのブロック図
【図４３】実施の形態７における光出力装置の動作を説明するフローチャート
【図４４】実施の形態７における中継装置の動作を説明するフローチャート
【図４５】実施の形態７における光出力装置の応用例を説明する図
【図４６】実施の形態７における距離管理表を示す図
【図４７】実施の形態７における情報処理システムの概念図
【図４８】実施の形態８における情報処理システムのブロック図
【図４９】実施の形態８における光出力装置の動作を説明するフローチャート
【図５０】実施の形態８における情報処理システムの概念図
【図５１】実施の形態８における健康状態情報取得手段に格納している表を示す図
【図５２】実施の形態８における外部情報の例を示す図
【図５３】実施の形態９における情報処理システムのブロック図
【図５４】実施の形態９における光出力装置の動作を説明するフローチャート
【図５５】実施の形態９における光制御パラメータを決定するための表を示す図
【図５６】実施の形態１０における情報処理システムのブロック図
【図５７】実施の形態１０における光出力装置の動作を説明するフローチャート
【図５８】実施の形態１０における情報処理システムの概念図
【図５９】実施の形態１１における情報処理システムのブロック図
【図６０】実施の形態１１における光出力装置の動作を説明するフローチャート
【図６１】実施の形態１１における情報処理システムの概念図
【図６２】実施の形態１２における情報処理システムのブロック図
【図６３】実施の形態１２における光出力装置の動作を説明するフローチャート
【符号の説明】
【０４５６】
１１、１１０１、１４０１、２５０１、３１０１、４００１、４２０１、４８０１、５３０１、５６０１、５９０１、６２０１  第一光出力装置
１２、１１０２、３２０２，４２０２  中継装置
１３、１１０３、１４０３、２５０３、３１０３、４００３，４２０３、４８０３、５３０３、５６０３、５９０３、６２０３  第二光出力装置
１１１、１４０１１、３１０１１、４００１１、４２０１１、４８０１１、５３０１１、５６０１１、５９０１１、６２０１１  第一外部情報取得部
１１２  第一送信元識別子格納部
１１３  第一外部情報送信部
１１４  第一外部情報受信部
１１５、１１０１５、１４０１５、２５０１５、３１０１５  第一光出力制御部
１１６、１４０１３、２５０１３  第一光出力部
１２１  第二外部情報受信部
１２２  送信管理情報格納部
１２３  送信先識別子取得部
１２４  第二外部情報送信部
１３１、１４０３１、３１０１１  第三外部情報取得部
１３２  第三送信元識別子格納部
１３３  第三外部情報送信部
１３４  第三外部情報受信部
１３５、１１０３５、１４０３５、２５０３５  第三光出力制御部
１３６、１４０３３、２５０３３  第三光出力部
３１０４  第一情報処理端末
３１０５  第二情報処理端末
１１０１１、１４０１４  第一パラメータ受信部
１１０２１、３２０２１、４２０２１  光制御パラメータ決定部
１１０３１、１４０３４  第三パラメータ受信部
１４０１２、２５０１２  第一種類情報格納部
１４０３２、２５０３２  第三種類情報格納部
２８０３１、３２０２２  外部情報記録部
３２０２２、４２０２２  地図情報格納部
【図１】
2008048394.tif 000003
【図２】
2008048394.tif 000004
【図３】
2008048394.tif 000005
【図４】
2008048394.tif 000006
【図５】
2008048394.tif 000007
【図６】
2008048394.tif 000008
【図７】
2008048394.tif 000009
【図８】
2008048394.tif 000010
【図９】
2008048394.tif 000011
【図１０】
2008048394.tif 000012
【図１１】
2008048394.tif 000013
【図１２】
2008048394.tif 000014
【図１３】
2008048394.tif 000015
【図１４】
2008048394.tif 000016
【図１５】
2008048394.tif 000017
【図１６】
2008048394.tif 000018
【図１７】
2008048394.tif 000019
【図１８】
2008048394.tif 000020
【図１９】
2008048394.tif 000021
【図２０】
2008048394.tif 000022
【図２１】
2008048394.tif 000023
【図２２】
2008048394.tif 000024
【図２３】
2008048394.tif 000025
【図２４】
2008048394.tif 000026
【図２５】
2008048394.tif 000027
【図２６】
2008048394.tif 000028
【図２７】
2008048394.tif 000029
【図２８】
2008048394.tif 000030
【図２９】
2008048394.tif 000031
【図３０】
2008048394.tif 000032
【図３１】
2008048394.tif 000033
【図３２】
2008048394.tif 000034
【図３３】
2008048394.tif 000035
【図３４】
2008048394.tif 000036
【図３５】
2008048394.tif 000037
【図３６】
2008048394.tif 000038
【図３７】
2008048394.tif 000039
【図３８】
2008048394.tif 000040
【図３９】
2008048394.tif 000041
【図４０】
2008048394.tif 000042
【図４１】
2008048394.tif 000043
【図４２】
2008048394.tif 000044
【図４３】
2008048394.tif 000045
【図４４】
2008048394.tif 000046
【図４５】
2008048394.tif 000047
【図４６】
2008048394.tif 000048
【図４７】
2008048394.tif 000049
【図４８】
2008048394.tif 000050
【図４９】
2008048394.tif 000051
【図５０】
2008048394.tif 000052
【図５１】
2008048394.tif 000053
【図５２】
2008048394.tif 000054
【図５３】
2008048394.tif 000055
【図５４】
2008048394.tif 000056
【図５５】
2008048394.tif 000057
【図５６】
2008048394.tif 000058
【図５７】
2008048394.tif 000059
【図５８】
2008048394.tif 000060
【図５９】
2008048394.tif 000061
【図６０】
2008048394.tif 000062
【図６１】
2008048394.tif 000063
【図６２】
2008048394.tif 000064
【図６３】
2008048394.tif 000065